(57)【要約】      （修正有）【課題】エンジンの部品間の摩擦を低減し、エンジン内の薄膜及び境界層の摩擦を改善する摩擦改善剤及び潤滑組成物の提供。【解決手段】アシルＮ−メチルグリシン及びアシルＮ−メチルグリシン誘導体（例えば、オレオイルサルコシン、ラウロイルサルコシン、ココイルサルコシン、２−（Ｎ−メチルオクタデカ−９−エンアミド）酢酸、２−（Ｎ−メチルドデカンアミド）酢酸、２−（Ｎ−メチルテトラデカンアミド）酢酸、２−（Ｎ−メチルヘキサデカンアミド）酢酸、２−（Ｎ−メチルオクタデカンアミド）酢酸、２−（Ｎ−メチルイコサンアミド）酢酸および２−（Ｎ−メチルドコサンアミド）酢酸等）の特定のアミド基を有する摩擦改善剤と少なくとも１種の分散剤とを添加してなる潤滑組成物。【選択図】なし【特許請求の範囲】
【請求項１】
主要量の基油および少量の添加剤パッケージを含んでなるエンジンオイルであって、該添加剤パッケージが、
（Ａ）
（ａ）式ＩＶ：
【化１】
2014122342.tif 000034
［式中、Ｒは約８〜約２２個の炭素原子をもつ、直線状もしくは分枝状の、飽和、不飽和、または一部飽和ヒドロカルビル基である］
の化合物とのアルコールの、１種以上の反応生成物、および
（ｂ）式ＩＩ〜ＩＩＩ：
【化２】
2014122342.tif 000035
［式中、Ｒは約８〜約２２個の炭素原子をもつ、直線状もしくは分枝状の、飽和、不飽和、または一部飽和ヒドロカルビルであり、そしてＲ２とＲ３は独立に、水素、Ｃ１〜Ｃ１８ヒドロカルビル基および、１個以上のヘテロ原子を含むＣ１〜Ｃ１８ヒドロカルビル基から選択される］；
【化３】
2014122342.tif 000036
［式中、Ｒは約８〜約２２個の炭素原子をもつ、直線状もしくは分枝状の、飽和、不飽和、または一部飽和ヒドロカルビルであり、そしてＸはアルカリ金属、アルカリ土類金属またはアンモニウムのカチオンであり、そしてｎはカチオンＸの原子価である］；
の１種以上の化合物：
から選択される摩擦修正剤成分、並びに
（Ｂ）少なくとも１種の分散剤：
を含んでなる、エンジンオイル。
【請求項２】
添加剤パッケージが、式ＩＶの化合物とのアルコールの、少なくとも１種の反応生成物を含んでなる、請求項１のエンジンオイル。
【請求項３】
式ＩＶの化合物とのアルコールの、１種以上の反応生成物が、式Ｉ：
【化４】
2014122342.tif 000037
［式中、Ｒは約８〜約２２個の炭素原子をもつ、直線状もしくは分枝状の、飽和、不飽和、または一部飽和ヒドロカルビルであり、そしてＲ１は水素、約１〜約８個の炭素原子をもつヒドロカルビルまたは、１個以上のヘテロ原子を含むＣ１〜Ｃ８ヒドロカルビル基である］の１種以上の化合物を含んでなる、請求項２のエンジンオイル。
【請求項４】
添加剤パッケージが式ＩＩの１種以上の化合物を含んでなる、請求項１のエンジンオイル。
【請求項５】
添加剤パッケージが式ＩＩＩの少なくとも１種の塩を含んでなる、請求項１のエンジンオイル。
【請求項６】
添加剤パッケージが、式ＩＶの１種以上の化合物とのアルコールの反応生成物、および式ＩＩ〜ＩＩＩの化合物、から独立に選択される、少なくとも２種の異なる化合物を含んでなる、請求項１のエンジンオイル。
【請求項７】
Ｒ１が約１〜約８個の炭素原子をもつヒドロカルビル基である、請求項３および６のいずれか１項のエンジンオイル。
【請求項８】
Ｒ１が１個以上のヘテロ原子を含むＣ１〜Ｃ８ヒドロカルビル基を含む、ヒドロカルビル基である、請求項３および６のいずれか１項のエンジンオイル。
【請求項９】
Ｒ２とＲ３が独立に、水素、Ｃ１〜Ｃ１８ヒドロカルビル基および、１個以上のヘテロ原子を含むＣ１〜Ｃ１８ヒドロカルビル基、から選択される、請求項４および６のいずれか１項のエンジンオイル。
【請求項１０】
Ｒ２とＲ３が独立に、水素およびＣ４〜Ｃ８ヒドロカルビル基から選択される、請求項４および６のいずれか１項のエンジンオイル。
【請求項１１】
式ＩＩＩの１種以上の化合物が、ナトリウム、リチウム、カリウム、カルシウム、マグネシウムおよびアミンから選択される１個以上のカチオンの塩である、請求項４および６のいずれか１項のエンジンオイル。
【請求項１２】
主要量の基油および少量の添加剤パッケージを含んでなる潤滑油であって、該添加剤パッケージが、
（Ａ）式ＩＶ：
【化５】
2014122342.tif 000038
［式中、Ｒは約８〜約２２個の炭素原子をもつ、直線状もしくは分枝状の、飽和、不飽和、または一部飽和ヒドロカルビル基である］の化合物と、式Ｖ：
【化６】
2014122342.tif 000039
［式中、Ｒ２、Ｒ３およびＲ４は独立に、水素、Ｃ１〜Ｃ１８ヒドロカルビル基並びにＣ３〜Ｃ１２ヒドロカルビル基および１個以上のヘテロ原子を含む炭化水素、から選択される］
のアミンとの、１種以上の反応生成物；並びに
（Ｂ）少なくとも１種の分散剤：
を含んでなる、潤滑油。
【請求項１３】
主要量の基油および少量の添加剤パッケージを含んでなる潤滑油であって、該添加剤パッケージが、
（Ａ）式ＩＶ：
【化７】
2014122342.tif 000040
［式中、Ｒは約８〜約２２個の炭素原子をもつ、直線状もしくは分枝状の、飽和、不飽和、または一部飽和ヒドロカルビル基である］の１種以上の化合物と、アルカリ金属の水酸化物およびアルカリ土類金属の水酸化物、アルカリ金属の酸化物、アルカリ土類金属の水酸化物、アンモニア、アミンまたはそれらの混合物との反応生成物である、１種以上の塩；並びに
（Ｂ）少なくとも１種の分散剤：
を含んでなる、潤滑油。
【請求項１４】
主要量の基油および少量の添加剤パッケージを含んでなる潤滑油であって、該添加剤パッケージが、
（Ａ）式ＩＶ：
【化８】
2014122342.tif 000041
［式中、Ｒは約８〜約２２個の炭素原子をもつ、直線状もしくは分枝状の、飽和、不飽和、または一部飽和ヒドロカルビル基である］の１種以上の化合物と、１種以上のアミンアルコールとの、１種以上の反応生成物；並びに
（Ｂ）少なくとも１種の分散剤：
を含んでなる、潤滑油。
【請求項１５】
Ｒが約１０〜約２０個の炭素原子を有する、請求項１〜１１のいずれか１項のエンジンオイル、または請求項１２〜１４のいずれか１項の潤滑油。
【請求項１６】
Ｒが約１２〜約１８個の炭素原子を有する、請求項１〜１１のいずれか１項のエンジンオイル、または請求項１２〜１４のいずれか１項の潤滑油。
【請求項１７】
添加剤パッケージが更に、抗酸化剤、消泡剤、モリブデン含有化合物、チタン含有化合物、リン含有化合物、粘度指数向上剤、流動点降下剤、および希釈油よりなる群から選択される少なくとも１種の添加剤を含んでなる、請求項１〜１１および１５〜１６のいずれか１項のエンジンオイル、または請求項１２〜１６のいずれか１項の潤滑油。
【請求項１８】
少なくとも１種の分散剤がポリアルキレン・スクシンイミドを含んでなる、請求項１〜１１および１５〜１７のいずれか１項のエンジンオイル、または請求項１２〜１７のいずれか１項の潤滑油。
【請求項１９】
少なくとも１種のポリアルキレン・スクシンイミドがホウ素化合物、無水物、アルデヒド、ケトン、リン化合物、エポキシドおよびカルボン酸から選択される１種以上の化合物で後処理される、請求項１８のエンジンオイルまたは潤滑油。
【請求項２０】
少なくとも１種の分散剤が、９００を超える数平均分子量をもつポリイソブチレンから調製されるポリイソブチレン・スクシンイミドを含んでなる、請求項１〜１１および１５〜１７のいずれか１項のエンジンオイル、または請求項１２〜１７のいずれか１項の潤滑油。
【請求項２１】
少なくとも１種の分散剤が、約１２００〜約５０００の数平均分子量をもつポリイソブチレンから調製されるポリイソブチレン・スクシンイミドを含んでなる、請求項１〜１１および１５〜１７のいずれか１項のエンジンオイル、または請求項１２〜１７のいずれか１項の潤滑油。
【請求項２２】
少なくとも１種の分散剤が５０％を超える末端ビニリデンをもつポリイソブチレンから調製されるポリイソブチレン・スクシンイミドを含んでなる、請求項１〜１１のいずれか１項のエンジンオイル、または請求項１２〜１４のいずれか１項の潤滑油。
【請求項２３】
少なくとも１種のポリイソブチレン・スクシンイミド分散剤がトリアルキレン・アミンテトラミンおよびテトラアルキレン・ペンタミンから選択されるアミンから誘導される、請求項１〜１１のいずれか１項のエンジンオイル、または請求項１２〜１４のいずれか１項の潤滑油。
【請求項２４】
少なくとも１種のポリイソブチレン・スクシンイミドがホウ素化合物で後処理され、またエンジンオイルのホウ素含量が約２００〜５００ｐｐｍのホウ素である、請求項２０〜２３のいずれか１項のエンジンオイルまたは潤滑油。
【請求項２５】
分散剤の総量がエンジンオイルの総重量の約２０重量％未満である、請求項１〜１１および１５〜２４のいずれか１項に請求されるようなエンジンオイル、または請求項１２〜
２４のいずれか１項の潤滑油。
【請求項２６】
分散剤の総量が、エンジンオイルの総重量の０．１重量％〜１５重量％の範囲内にある、請求項１〜１１および１５〜２４のいずれか１項に請求されるようなエンジンオイル、または請求項１２〜２４のいずれか１項の潤滑油。
【請求項２７】
請求項１〜１１および１５〜２６のいずれか１項に請求されるようなエンジンオイル、または請求項１２〜２４のいずれか１項の潤滑油を使用して、エンジンを潤滑する工程を含んでなる、エンジン内の薄膜および境界層の摩擦を改善する方法。
【請求項２８】
改善される薄膜および境界層の摩擦が１種以上の摩擦修正剤成分の不存在下における同一組成物に関連して決定される、請求項２７に請求される方法。
【請求項２９】
請求項１〜１１および１５〜２６のいずれか１項に請求されるようなエンジンオイル、または請求項１２〜２４のいずれか１項の潤滑油を使用して、エンジンを潤滑する工程を含んでなる、エンジン内の境界層の摩擦を改善する方法。
【請求項３０】
改善される境界層の摩擦が、１種以上の摩擦修正剤成分の不存在下における同一組成物に関連して決定される、請求項２９に請求される方法。
【請求項３１】
請求項１〜１１および１５〜２６のいずれか１項に請求されるようなエンジンオイル、または請求項１２〜２４のいずれか１項の潤滑油を使用して、エンジンを潤滑する工程を含んでなる、エンジン内の薄膜の摩擦を改善する方法。
【請求項３２】
改善される薄膜の摩擦が、１種以上の摩擦修正剤成分の不存在下における同一組成物に関連して決定される、請求項３１に請求される方法。
【発明の詳細な説明】
【技術分野】
【０００１】
本開示は、添加剤組成物および、アシルＮ−メチルグリシンとそれらの誘導体とを含む潤滑剤に関する。とりわけ、それは添加剤組成物および、少なくとも１種の分散剤と組み合わせたアシルＮ−メチルグリシンとそれらの誘導体を含む潤滑油に関する。
【背景技術】
【０００２】
エンジンの円滑な操作を確保するために、エンジンオイルは、エンジン内の様々な滑動部品（ｓｌｉｄｉｎｇ  ｐａｒｔｓ）、例えば、ピストンリング／シリンダー・ライナー、クランクシャフトおよび連接棒の軸受け、カムおよび弁リフターを含む弁機構、等を潤滑するのに重要な役割を果たす。エンジンオイルはまた、エンジンの内部を冷却しそして燃焼産物を分散させる工程に役割を果たす。エンジンオイルの更なる可能な機能は、錆および腐食を防止または低減する機能を含むことができる。
【０００３】
エンジンオイルの主要な考慮すべき事項は、エンジン内の部品の摩耗と焼き付きを防止することである。潤滑されたエンジンの部品は大部分、流動体潤滑の状態にあるが、弁系統、およびピストンの頂上と底部の真ん中は、境界潤滑および／または薄膜潤滑の状態にあるようである。エンジン内のこれらの部品間の摩擦は重大なエネルギー喪失を引起し、それにより燃料効率を低下させる可能性がある。摩擦エネルギーのロスを低減させるために、エンジンオイル中に、多数のタイプの摩擦修正剤（ｆｒｉｃｔｉｏｎ  ｍｏｄｉｆｉｅｒｓ）が使用されてきた。
【０００４】
エンジンの部品間の摩擦が低減されると、改善された燃料効率が達成され得る。薄膜の摩擦は、２枚の表面間の距離が非常に小さい時に、２枚の表面間で運動する潤滑剤のような流動体により形成される摩擦である。通常、エンジンオイル中に存在する幾つかの添加剤は、薄膜の摩擦に効果をもつことができる、異なる厚さの膜を形成することが知られている。亜鉛ジアルキル・ジチオホスフェート（ＺＤＤＰ）のような幾つか添加剤は、薄膜の摩擦を増加することが知られている。このような添加剤は、エンジンの部品を保護するためのような他の理由のために必要である可能性があるが、このような添加剤により引起される薄膜の摩擦の増加は有害である可能性がある。
【０００５】
エンジン内の境界層の摩擦を減少する工程もまた、燃料効率を高めることができる。エンジン内の接触している面の運動は、境界層の摩擦により遅くされる可能性がある。非窒素含有、窒素含有およびモリブデン含有の摩擦修正剤は時々、境界層の摩擦を低減するために使用される。
【０００６】
特許文献１は、式：
【０００７】
【化１】
2014122342.tif 000002
【０００８】
の化合物とジカルボン酸のアミン塩とを含む３成分の錆防止剤パッケージを含む潤滑剤組成物を開示している（特許文献１参照。）ここで、ＲはＣ８−１８−アルキルまたはアルケニル基を表す。ジカルボン酸のアミン塩は、構造式：
ＨＯＯＣ（ＣＨ２）ｘＣＯＯＨ
［式中、ｘは４〜４６の整数である］
をもつ約１モルの化合物を、式：
【０００９】
【化２】
2014122342.tif 000003
【００１０】
［式中、Ｒ１、Ｒ２およびＲ３は独立に、水素、１４個までの炭素原子をもつアルキル、ヒドロキシアルキル、シクロアルキルまたはポリアルキレンオキシ基から選択される］
をもつ化合物から選択される約２モルのアミンとともに含むように、錆防止剤パッケージを配合することにより調製される。錆防止剤パッケージは、クランクケース油およびジーゼル油と共に配合される潤滑剤組成物中で使用することができる。
【００１１】
特許文献２は、特定のタイプの多機能油のための、様々な、異なる錆防止化合物の使用を開示している（特許文献２参照。）該明細書には、そのＲおよびＲ１が定義されていない、式：
【００１２】
【化３】
2014122342.tif 000004
【００１３】
の化合物を使用する可能性が短く言及されている。使用されるべき量に関する更なる詳細も、出願書に例示されるこのような化合物を含むどんな特定の配合物も与えられていない。
【００１４】
特許文献３は、多機能潤滑剤を開示しており、オレイルサルコシンを含むウェットブレーキ配合物の一例を含む（特許文献３参照）。例示された組成物はまた、塩基性スルホン酸カルシウム清浄剤（ＴＢＮ＝３００）、Ｐ２Ｓ５−ポリブテンバリウムフェナート／スルホネート清浄剤、Ｍｗ＝９００  ＰＩＢ基をもつポリブテニル琥珀酸無水物とテトラエチレン・ペンタミンとの反応生成物である分散剤、亜鉛ジヘキシル・ジチオホスフェート、ジオレイルホスファイト、スパームオイルおよび硫化ポリブテンを含む。
【００１５】
近年、より高いエネルギー効率を与える潤滑剤、特に減摩潤滑剤を使用する要望が増加してきた。更に、所望される性能レベルをまだ提供しながら、複数の目的を達成する改善された添加剤組み合わせ物を提供する要望が存在する。
【先行技術文献】
【特許文献】
【００１６】
【特許文献１】米国特許第５，５９９，７７９号明細書
【特許文献２】国際公開出願第２００９／１４０１０８号パンフレット
【特許文献３】ドイツ特許第１２３５８９６号明細書
【発明の概要】
【００１７】
要約
第１の態様においては、本開示は、主要量の基油および少量の添加剤パッケージを含んでなるエンジンオイルを提供し、ここで、添加剤パッケージが、
（Ａ）
（ａ）式ＩＶ：
【００１８】
【化４】
2014122342.tif 000005
【００１９】
［式中、Ｒは約８〜約２２個の炭素原子をもつ、直線状もしくは分枝状の、飽和、不飽和、または一部飽和ヒドロカルビル基である］
の化合物とアルコールとの１種以上の反応生成物、および
（ｂ）式ＩＩ〜ＩＩＩ：
【００２０】
【化５】
2014122342.tif 000006
【００２１】
［式中、Ｒは約８〜約２２個の炭素原子をもつ、直線状もしくは分枝状の、飽和、不飽和、または一部飽和ヒドロカルビルであり、そしてＲ２とＲ３は独立に、水素、Ｃ１〜Ｃ１８ヒドロカルビル基および、１個以上のヘテロ原子を含むＣ１〜Ｃ１８ヒドロカルビル基、から選択される］；
【００２２】
【化６】
2014122342.tif 000007
【００２３】
［式中、Ｒは約８〜約２２個の炭素原子をもつ、直線状もしくは分枝状の、飽和、不飽和または一部飽和ヒドロカルビルであり、そしてＸはアルカリ金属、アルカリ土類金属またはアンモウムカチオンであり、そしてｎはカチオンＸの原子価である］；
の１種以上の化合物：
から選択される摩擦修正剤成分、並びに
（Ｂ）少なくとも１種の分散剤：
を含んでなる。
【００２４】
式ＩＶの化合物とのアルコールの、１種以上の反応生成物はエステルであることができる。
【００２５】
一つの実施形態においては、式ＩＶの化合物とのアルコールの反応生成物は、式Ｉ：
【００２６】
【化７】
2014122342.tif 000008
【００２７】
［式中、Ｒは約８〜約２２個の炭素原子をもつ、直線状もしくは分枝状の、飽和、不飽和、または一部飽和ヒドロカルビルであり、そしてＲ１は水素、約１〜約８個の炭素原子をもつヒドロカルビルまたは、１個以上のヘテロ原子を含むＣ１〜Ｃ８ヒドロカルビル基、である］の１種以上の化合物を含んでなる。
【００２８】
１種以上の化合物は式ＩＩのアミドであることができる。
【００２９】
１種以上の化合物は式ＩＩＩの少なくとも一つの塩を含んでなることができる。
【００３０】
添加剤パッケージは、式Ｉ〜ＩＩＩから独立に選択される少なくとも２種の異なる化合物を含んでなることができる。
【００３１】
Ｒは約１０〜約２０個の炭素原子をもつことができる。あるいはまた、Ｒは約１２〜約１８個の炭素原子をもつことができる。
【００３２】
Ｒ１は約１〜約８個の炭素原子をもつヒドロカルビル基であることができる。あるいはまた、Ｒ１は１個以上のヘテロ原子を含むＣ１〜Ｃ８ヒドロカルビル基を含むヒドロカルビル基であることができる。
【００３３】
Ｒ２とＲ３は、独立に、水素、Ｃ１〜Ｃ１８ヒドロカルビル基および、１個以上のヘテロ原子を含むＣ１〜Ｃ１８ヒドロカルビル基から選択されることができる。あるいはまた、Ｒ２とＲ３は、独立に、水素およびＣ４〜Ｃ８ヒドロカルビル基から選択されることができる。
【００３４】
式ＩＩＩの１種以上の化合物は、ナトリウム、リチウム、カリウム、カルシウム、マグネシウムおよびアミンから選択される１個以上のカチオンの塩である。
【００３５】
添加剤パッケージは更に、抗酸化剤、消泡剤、モリブデン含有化合物、チタン含有化合物、リン含有化合物、粘度指数向上剤、流動点降下剤、および希釈油よりなる群から選択される少なくとも１種の添加剤を含むことができる。
【００３６】
他の態様においては、本開示は、主要量の基油および少量の添加剤パッケージを含んでなる潤滑油を提供し、その添加剤パッケージが、
（Ａ）式ＩＶ：
【００３７】
【化８】
2014122342.tif 000009
【００３８】
［式中、Ｒは約８〜約２２個の炭素原子をもつ、直線状もしくは分枝状の、飽和、不飽和、または一部飽和ヒドロカルビル基であり、そして酸基上のヒドロキシル基は、所望される場合は、反応の前に適切な離脱基により置換されてもよい］の１種以上の化合物と、式Ｖ：
【００３９】
【化９】
2014122342.tif 000010
【００４０】
［式中、Ｒ２、Ｒ３およびＲ４は独立に、水素、Ｃ１〜Ｃ１８ヒドロカルビル基および、１個以上のヘテロ原子を含むＣ１〜Ｃ１８ヒドロカルビル基から選択される］の１種以上のアミンとの１種以上の反応生成物；並びに
（Ｂ）少なくとも１種の分散剤：
を含んでなる。
【００４１】
以上の潤滑油組成物はエンジンオイルを含んでなることができる。
【００４２】
式ＩＶのＲは約１０〜約２０個の炭素原子をもつことができる。
【００４３】
Ｒ２、Ｒ３およびＲ４は独立に、水素、Ｃ３〜Ｃ１２ヒドロカルビル基およびヘテロ原子含有Ｃ３〜Ｃ１２ヒドロカルビル基から選択されることができる。
【００４４】
適切なアミンは、例えば、アンモニア、２−エチルヘキシルアミン、ｎ−ブチルアミン、ｔ−ブチルアミン、イソプロピルアミン、ｎ−ペンチルアミン、イソペンチルアミンを含むペンチルアミン、２−エチルプロピル−アミン、オクチルアミン、ジブチルアミンおよびジメチルアミノプロピルアミンを含む。適切なアミドは、例えば、式ＩＶの化合物と、１種以上のメトキシエチルアミン、トリス−ヒドロキシメチル・アミノ−メタン（ＴＨＡＭ）およびジエタノールアミンとの反応生成物を含む。その他の適切なアミドの反応生成物は、２−（Ｎ−メチルオクタデカ−９−エンアミド）酢酸と２−エチルヘキシルアミンとの反応生成物である。
【００４５】
式ＩＶの化合物上のヒドロキシル基は、所望される場合は、アルコールとの反応の前に適切な離脱基により置換されてもよい。アルコールはＲ１−ＯＨにより表されることができ、そのＲ１はＣ１〜Ｃ８ヒドロカルビル基または１個以上のヘテロ原子を含むＣ１〜Ｃ８ヒドロカルビル基を含んでなる。
【００４６】
以上の潤滑油組成物はエンジンオイルを含んでなることができる。
【００４７】
その他の態様においては、本開示は、主要量の基油および少量の添加剤パッケージを含んでなる潤滑油を提供し、そこで該添加剤パッケージが、
（Ａ）式ＩＶ：
【００４８】
【化１０】
2014122342.tif 000011
【００４９】
［式中、Ｒは約８〜約２２個の炭素原子をもつ、直線状もしくは分枝状の、飽和、不飽和、または一部飽和ヒドロカルビルであり、そして酸基上の水素原子はまた、適切な離脱基により置換されてもよい］の１種以上の化合物と、アルカリ金属もしくはアルカリ土類金属の水酸化物、アルカリ金属もしくはアルカリ土類金属の酸化物、アミンまたはそれらの混合物との反応生成物である１種以上の塩；並びに
（Ｂ）少なくとも１種の分散剤：
を含んでなる。
【００５０】
適切なアルカリ金属もしくはアルカリ土類金属の水酸化物または対応する酸化物は、限定はされないが、水酸化ナトリウム、水酸化カリウム、水酸化リチウム、水酸化カルシウム、酸化カルシウム、水酸化マグネシウム、水酸化バリウム、等を含む。
【００５１】
本開示における使用のための摩擦修正剤として適切な塩は、例えば、２−（Ｎ−メチルドデカンアミド）酢酸のナトリウム塩、２−（Ｎ−メチルオクタデカンアミド）酢酸のカリウム塩のような１価の塩、カルシウム、マグネシウムおよびバリウム塩のような２価の塩を含む。
【００５２】
その他の態様においては、本開示は、主要量の基油および少量の添加剤パッケージを含んでなる潤滑油を提供し、そこで該添加剤パッケージが、
（Ａ）式ＩＶ：
【００５３】
【化１１】
2014122342.tif 000012
【００５４】
［式中、Ｒは約８〜約２２個の炭素原子をもつ、直線状もしくは分枝状の、飽和、不飽和、または一部飽和ヒドロカルビル基である］の１種以上の化合物と、１種以上のアミンアルコールとの１種以上の反応生成物；並びに
（Ｂ）少なくとも１種の分散剤：
を含んでなる。
【００５５】
以上の各潤滑油において、少なくとも１種の分散剤はポリアルキレン・スクシンイミドを含んでなることができる。あるいはまた、少なくとも１種の分散剤は、９００を超える数平均分子量をもつポリイソブチレンから調製されるポリイソブチレン・スクシンイミドを含んでなることができる。あるいはまた、少なくとも１種の分散剤は、約１２００〜約５０００の数平均分子量をもつポリイソブチレンから調製されるポリイソブチレン・スクシンイミドを含んでなることができる。
【００５６】
少なくとも１種のポリアルキレン・スクシンイミドは、ホウ素化合物、無水物、アルデヒド、ケトン、リン化合物、エポキシドおよびカルボン酸から選択される１種以上の化合物で後処理されることができる。あるいはまた、少なくとも１種のポリイソブチレン・スクシンイミドは、ホウ素化合物で後処理されることができ、そこで潤滑油のホウ素含量は約２００〜５００ｐｐｍのホウ素である。
【００５７】
少なくとも１種の分散剤は、５０％を超える末端ビニリデンをもつポリイソブチレンから調製されるポリイソブチレン・スクシンイミドを含んでなる。
【００５８】
少なくとも１種のポリイソブチレン・スクシンイミド分散剤は、トリアルキレンアミン・テトラアミンおよびテトラアルキレン・ペントアミンから選択されるアミンから誘導することができる。
【００５９】
分散剤の総量は、潤滑油組成物の総重量の約２０重量％未満である。あるいはまた、分散剤の総量は、潤滑油の総重量の０．１重量％〜約１５重量％の範囲内にある。
【００６０】
更にその他の態様においては、本開示は、本明細書に開示されるような潤滑油組成物を使用して表面を潤滑する工程を含んでなる、相互に対して運動している接触している表面間の薄膜の摩擦および境界層の摩擦を改善する方法を提供する。幾つかの実施形態においては、表面は、エンジンの接触している面である。
【００６１】
更にその他の態様においては、本開示は、本明細書に開示されるような潤滑油組成物を使用して表面を潤滑する工程を含んでなる相互に対して運動している密接な近位にある表面間の境界層の摩擦を改善する方法を提供する。幾つかの実施形態においては、その表面はエンジンの接触している面である。
【００６２】
更にその他の態様においては、本開示は、本明細書に開示されるような潤滑油組成物を使用して表面を潤滑する工程を含んでなる、相互に関連して密接な近位にある表面間の薄膜の摩擦を改善する方法を提供する。幾つかの実施形態においては、その表面はエンジンの接触している面である。
【００６３】
定義
本明細書に使用されるような特定の用語の意味を明確にするために、用語の以下の定義が提供される。
【００６４】
本明細書で、そして付記の請求の範囲に使用されるような、単数形「ａ」、「ａｎ」および「ｔｈｅ」は、文脈が明確に別記されない限り、複数の指示物を含むことは注意しなければならない。更に、用語「一つの（ａ）」（または一つの「ａｎ」）、「一つ以上の（ｏｎｅ  ｏｒ  ｍｏｒｅ）」、および「少なくとも一つの」は、本明細書では互換的に使用することができる。用語「含んでなる」、「含む」、「をもつ」および「から成る」もまた、互換的に使用することができる。
【００６５】
明細書および請求の範囲に使用される、分子量、パーセント、比率、反応条件、等のような成分の量、特性を表すすべての数字は、別記されない限り、用語「約」が存在するか否かに拘わらず、すべての場合に、用語「約」により修飾されるものと理解することができる。従って、明細書および請求の範囲内に示される数値パラメーターは、その反対を示されない限り、本開示により獲得することが追求される所望される特性に応じて変動する可能性がある近似値である。最低限でも、そして請求の範囲に対する同等物の原理の適用を限定するための試みとしてではなく、各数値パラメーターは少なくとも、報告された有
意な桁数の数字に照らして、そして通常の近似法を適用することにより、解釈されなければならない。開示の広い範囲を示す数値範囲およびパラメーターが近似値であるにも拘わらず、特定の実施例に示される数値はできるだけ正確に報告される。しかし、あらゆる数値は本質的に、必然的にそれらそれぞれの試験測定値に認められる標準偏差からもたらされる特定の誤差を含む。
【００６６】
本明細書に開示される各成分、化合物、置換基またはパラメーターは、単独で、または本明細書に開示される一つ以上のありとあらゆるその他の成分、化合物、置換基またはパラメーターと組み合わせて使用するために開示されていると解釈することができることは理解できる。
【００６７】
更に、本明細書に開示される各成分、化合物、置換基またはパラメーターに対する各量／値または量／値の範囲もまた、本明細書に開示されるあらゆる他の１種以上の成分、１種以上の化合物、１種以上の置換基または１種以上のパラメーターに対して開示される各量／値または量／値の範囲と組み合わせて開示されているものと解釈されることができ、そして従って、本明細書に開示される２種以上の成分、化合物、置換基またはパラメーターに対する量／値または量／値の範囲のあらゆる組み合わせもまた、本説明の目的のために相互と組み合わせて開示されていることを理解することができる。
【００６８】
更に、本明細書に開示される各範囲の各下限は、同一成分、化合物、置換基またはパラメーターに対して本明細書で開示される各範囲の各上限と組み合わせて開示されていると解釈することができることが理解される。従って、二つの範囲の開示は、各範囲の各下限を各範囲の各上限と組み合わせることにより誘導される４つの範囲の開示物と解釈することができる。３つの範囲の開示は、各範囲の各上限と各範囲の各下限とを組み合わせることにより誘導される９つの範囲の開示物、等と解釈することができる。更に、明細書または実施例中に開示される成分、化合物、置換基またはパラメーターの特定の量／値は、ある範囲の下限または上限のいずれかの開示物と解釈することができ、従ってその成分、化合物、置換基またはパラメーターの範囲を形成するために、出願書の他の場所に開示される同一の成分、化合物、置換基またはパラメーターに対する範囲のあらゆる他の下限または上限または特定の量／値と組み合わせることができる。
【００６９】
用語「オイル組成物」、「潤滑組成物」、「潤滑油組成物」、「潤滑油」、「潤滑剤組成物」、「潤滑組成物」、「完全配合潤滑剤組成物」、および「潤滑剤」は、主要量の基油プラス少量の添加剤組成物とを含んでなる最終潤滑製品を表す、同義の、完全に互換性の用語であると考えられる。
【００７０】
用語「クランクケースオイル」、「クランクケース潤滑剤」、「エンジンオイル」、「エンジン潤滑剤」、「モーター油」および「モーター潤滑剤」は、主要量の基油プラス少量の添加剤組成物を含んでなる、最終エンジン、モーターまたはクランクケースの潤滑生成物を表す同義の完全に互換性の用語であると考えられる。
【００７１】
本明細書で使用される用語「添加剤パッケージ」および「添加剤濃厚物」、「添加剤組成物」は、主要量の基油原料を除く潤滑組成物の部分を表す、同義の完全に互換性の用語であると考えられる。添加剤パッケージは粘度指数向上剤または流動点降下剤を含んでも含まなくてもよい。
【００７２】
本明細書で使用される用語「エンジンオイルの添加剤パッケージ」、「エンジンオイルの添加剤濃厚物」、「クランクケースの添加剤パッケージ」、「クランクケースの添加剤濃厚物」、「モーター油の添加剤パッケージ」および「モーター油濃厚物」は、主要量の基油原料を除く潤滑組成物の部分を表す、同義の完全に互換性の用語であると考えられる
。エンジン油、クランクケース油またはモーター油の添加剤パッケージは、粘度指数向上剤または流動点降下剤を含んでも含まなくてもよい。
【００７３】
本明細書で使用される用語「ヒドロカルビル置換基」または「ヒドロカルビル基」は、当業者に周知のその通常の意味で使用される。それは、特に、分子の残りの部分に直接結合された炭素原子をもち、そして主として炭化水素の特性をもつ基を表す。本明細書で使用される「基（ｇｒｏｕｐ）」および「部分（ｍｏｉｅｔｙ）」は互換性であることが意図される。ヒドロカルビル基の例は、
（ａ）炭化水素置換基、すなわち脂肪族置換基（例えば、アルキルまたはアルケニル）、脂環式置換基（例えば、シクロアルキル、シクロアルケニル）、および芳香族、脂肪族および脂環式置換芳香族置換基、並びに環式置換基、ここで環は分子の他の部分により完成される（例えば、２個の置換基が一緒になって脂環式部分を形成する）、
（ｂ）置換炭化水素置換基、すなわち、本開示の範疇では、置換基の主として炭化水素の特性を実質的に変えない非炭化水素基を含む置換基（例えば、ハロ（特にクロロおよびフルオロ）、ヒドロキシ、アルコキシ、メルカプト、アルキルメルカプト、ニトロ、ニトロソ、アミノ、アルキルアミノおよびスルホキシ）、並びに
（ｃ）ヘテロ置換基、すなわち、本開示の範疇では、主として炭化水素の特性をもちながら、他の点では炭素原子よりなる環または鎖中に炭素原子以外の原子を含む置換基：
を含む。ヘテロ原子は硫黄、酸素および窒素を含むことができ、そしてヘテロ置換基は、ピリジル、フリル、チエニルおよびイミダゾリルのような置換基を包含する。ヒドロカルビル基中には、概して、例えば、各１０個の炭素原子に対して、２個以下の、または１個以下の非炭化水素置換基が存在するであろう。典型的には、ヒドロカルビル基中には非炭化水素置換基は存在しない。
【００７４】
本明細書で使用される用語「重量パーセント」は、明確に別記されない限り、全組成物の総重量のうちの、引用される１種以上の成分、化合物、または置換基が表す百分率を意味する。
【００７５】
本明細書で使用される用語「可溶性」、「油溶性」および「分散性」は、必然的ではないが、その化合物または添加剤が、すべての割合で、油中に可溶性、溶解可能、混和性または懸濁可能であることを示すことができる。しかし、以上の用語は、１種以上の成分、化合物または添加剤が、例えば、油が使用される環境内でそれらの意図される効果を発揮するのに十分な程度まで油中に可溶性、懸濁可能、溶解可能、または安定に分散可能であることを意味する。更に、その他の添加剤の更なる取り入れもまた、所望される場合は、より高レベルの、特定の油に可溶性または分散性の化合物または添加剤の取り入れを許すことができる。
【００７６】
本明細書で使用される用語「ＴＢＮ」は、ＡＳＴＭ  Ｄ２８９６またはＡＳＴＭ  Ｄ４７３９の方法により測定されるｍｇ  ＫＯＨ／ｇにおける総塩基価を意味するために使用される。
【００７７】
本明細書で使用される用語「アルキル」は、約１〜約１００個の炭素原子の炭素鎖をもつ、直鎖、分枝鎖、環式および／または置換飽和基を表す。
【００７８】
本明細書で使用される用語「アルケニル」は、約３〜約１０個の炭素原子の炭素鎖をもつ、直鎖、分枝鎖、環式および／または置換不飽和基を表す。
【００７９】
本明細書で使用される用語「アリール」は、アルキル、アルケニル、アルキルアリール、アミノ、ヒドロキシル、アルコキシおよび／またはハロ置換基、並びに／あるいは、限定はされないが、窒素、酸素および硫黄を含むヘテロ原子、を含むことができる単環式および多環式芳香族化合物を表す。
【００８０】
本明細の潤滑剤、１種以上の成分または１種以上の化合物の組み合わせ物、あるいは個々の１種以上の成分または１種以上の化合物は、様々なタイプの内燃エンジンにおける使用に適することができる。適切なエンジンのタイプは、限定はされないが、重量ジーゼル、乗用車、軽量ジーゼル、中速度ジーゼルまたはマリーン・エンジンを含むことができる。内燃エンジンは、ジーゼル燃料エンジン、ガソリン燃料エンジン、天然ガス燃料エンジン、バイオ燃料エンジン、混合ジーゼル／バイオ燃料エンジン、混合ガソリン／バイオ燃料エンジン、アルコール燃料エンジン、混合ガソリン／アルコール燃料エンジン、圧縮天然ガス（ＣＮＧ）燃料エンジン、またはそれらの組み合わせ物であることができる。内燃エンジンはまた、電源または電池動力源と組み合わせて使用することができる。そのように形作られているエンジンは一般にハイブリッドエンジンとして知られている。内燃エンジンは２−ストローク、４−ストローク、またはロータリーエンジンであることができる。実施形態をそれに適用することができる適切な内燃エンジンは、マリーンジーゼルエンジン、航空機ピストンエンジン、低荷重ジーゼルエンジンおよびオートバイ、自動車、機関車およびトラックのエンジンを含む。
【００８１】
内燃エンジンは、１種以上の、アルミニウム合金、鉛、錫、銅、鋳鉄、マグネシウム、セラミックス、ステンレス鋼、複合材料および／またはそれらの組み合わせ物を含んでなる１種以上の部材を含むことができる。１種以上の部材は例えば、ダイアモンド様炭素被膜、潤滑被膜、リン含有被膜、モリブデン含有被膜、黒鉛被膜、ナノ粒子含有被膜、および／またはそれらの組み合わせ物または混合物で被覆することができる。アルミニウム合金は珪酸アルミニウム、酸化アルミニウム、またはその他のセラミック材料を含むことができる。一つの実施形態においては、アルミニウム合金はアルミニウム−シリケート表面を含んでなる。本明細書で使用される用語「アルミニウム合金」は、「アルミニウム複合材料」と同義であることが意図され、その詳細な構造に関係なく、顕微鏡的またはほぼ顕微鏡的レベルで混合または反応されるアルミニウムおよび１種以上のその他の成分を含んでなる一つの部材または表面を説明することが意図される。これは、アルミニウム以外の金属とのあらゆる従来の合金並びにセラミック様材料のような非金属元素または化合物との複合材料または合金様構造物を含むと考えられる。
【００８２】
内燃エンジンのための潤滑剤組成物は、硫黄、リンまたは硫酸灰分（ＡＳＴＭ  Ｄ−８７４）に関係なく、あらゆるエンジンの潤滑剤に適することができる。エンジン潤滑剤の硫黄含量は、約１重量％以下、または約０．８重量％以下、または約０．５重量％以下、または約０．３重量％以下であることができる。一つの実施形態においては、硫黄含量は約０．００１重量％〜約０．５重量％、または約０．０１重量％〜約０．３重量％の範囲内にあることができる。リン含量は約０．２重量％以下、または約０．１重量％以下、または約０．０８５重量％以下、または約０．０８重量％以下、または更に、約０．０６重量％以下、または約０．０５５重量％以下、または約０．０５重量％以下であることができる。一つの実施形態においては、リン含量は約５０ｐｐｍ〜約１０００ｐｐｍ、または約３２５ｐｐｍ〜約８５０ｐｐｍであることができる。総硫酸灰分は、約２重量％以下、または約１．５重量％以下、または約１．１重量％以下、または約１重量％以下、または約０．８重量％以下、または約０．５重量％以下であることができる。一つの実施形態においては、硫酸灰分は、約０．０５重量％〜約０．９重量％、または約０．１重量％〜約０．７重量％、または約０．２重量％〜約０．４５重量％であることができる。他の実施形態においては、硫黄含量は０．４重量％以下であることができ、リン含量は約０．０８重量％以下であることができ、そして硫酸灰分は約１重量％以下であることができる。更に他の実施形態においては、硫黄含量は約０．３重量％以下であることができ、リン含量は約０．０５重量％以下であることができ、そして硫酸灰分は約０．８重量％以下である
ことができる。
【００８３】
一つの実施形態においては、潤滑組成物は（ｉ）約０．５重量％以下の硫黄含量、（ｉｉ）約０．１重量％以下のリン含量、および（ｉｉｉ）約１．５重量％以下の硫酸灰分：を有することができる。
【００８４】
一つの実施形態においては、潤滑組成物は２−ストロークまたは４−ストロークのマリーンジーゼル内燃エンジンに適する。一つの実施形態においては、マリーンジーゼル燃焼エンジンは２−ストロークエンジンである。
【００８５】
更に、本明細の潤滑剤は、ＩＬＳＡＣ  ＧＦ−３、ＧＦ−４、ＧＦ−５、ＧＦ−６、ＰＣ−１１、ＣＩ−４、ＣＪ−４、ＡＣＥＡ  Ａ１／Ｂ１、Ａ２／Ｂ２、Ａ３／Ｂ３、Ａ５／Ｂ５、Ｃ１、Ｃ２、Ｃ３、Ｃ４、Ｅ４／Ｅ６／Ｅ７／Ｅ９、Ｅｕｒｏ  ５／６、Ｊａｓｏ  ＤＬ−１、Ｌｏｗ  ＳＡＰＳ、Ｍｉｄ  ＳＡＰＳのような１種以上の工業規格条件、またはｄｅｘｏｓＴＭ１、ｄｅｘｏｓＴＭ２Ｍ、ＭＢ−Ａｐｐｒｏｖａｌ  ２２９．５１／２２９．３１、ＶＷ  ５０２．００、５０３．００／５０３．０１、５０４．００、５０５．００、５０６．００／５０６．０１、５０７．００、ＢＭＷ  Ｌｏｎｇｌｉｆｅ−０４、Ｐｏｒｓｃｈｅ  Ｃ３０、Ｐｅｕｇｅｏｔ  Ｃｉｔｒｏｅｎ  Ａｕｔｏｍｏｂｉｌｅｓ  Ｂ７１  ２２９０、Ｆｏｒｄ  ＷＳＳ−Ｍ２Ｃ１５３−Ｈ、ＷＳＳ−Ｍ２Ｃ９３０−Ａ、ＷＳＳ−Ｍ２Ｃ９４５−Ａ、ＷＳＳ−Ｍ２Ｃ９１３Ａ、ＷＳＳ−Ｍ２Ｃ９１３−Ｂ、ＷＳＳ−Ｍ２Ｃ９１３−Ｃ、ＧＭ  ６０９４−Ｍ、Ｃｈｒｙｓｌｅｒ  ＭＳ−６３９５のような初代装置の（ｏｒｉｇｉｎａｌ  ｅｑｕｉｐｍｅｎｔ）製造会社の規格、あるいは、本明細書には言及されていない、あらゆる過去または将来のＰＣＭＯまたはＨＤＤ規格、を充たすのに適切であることができる。乗用車のモーター油（ＰＣＭＯ）の適用に対する幾つかの実施形態においては、完成流動体中のリンの量は１０００ｐｐｍ以下または９００ｐｐｍ以下または８００ｐｐｍ以下である。
【００８６】
その他のハードウェアは、開示された潤滑剤と一緒の使用には適さないかも知れない。「機能流動体」は、限定はされないが、トラクターの油圧油、自動変速機油、連続可変機油および手動変速機油を含む動力伝達液、その他の油圧油、幾つかのギアオイル、パワーハンドル液、風力タービンおよびコンプレッサーに使用される流動体、幾つかの工業用液、並びに伝導機構の部材に関して使用される流動体を含む多様な流動体を包含する用語である。例えば、自動変速機油のような、これらの流動体の各クラス内に、著しく異なる機能的特徴をもつ特定の流動体の需要に導いた、異なるデザインをもつ様々な装置／伝達装置のために、様々の、異なるタイプの流動体が存在することに注目しなければならない。これは、機能流動体と同じように、動力を発生または移動するためには使用されない流動体を意味するために使用される用語「潤滑流動体」により対比される。
【００８７】
例えば、トラクターの油圧油に関して、これらの流動体は、エンジンを潤滑するためを除いて、トラクター中のすべての潤滑剤適用物のために使用される全目的の製品である。これらの潤滑適用物は、ギアボックス、動力取出し装置および一つ以上のクラッチ、リアアクセル、減速ギア、ウェットブレーキ、および油圧付属品の潤滑を含むことができる。
【００８８】
機能流動体が自動変速機油である時は、自動変速機油は動力を移動するためにクラッチ板に十分な摩擦をもたなければならない。しかし、流動体は作動中に加熱するために、このような流動体の摩擦係数は温度効果により低下する傾向をもつ。このようなトラクターの油圧油または自動変速機油は、高温で高い摩擦係数を維持することが重要であり、さもなければ、ブレーキ系統または自動変速機が破損する可能性がある。これは、エンジンオイルの機能ではない。
【００８９】
トラクター油圧油、および例えばＳｕｐｅｒ  Ｔｒａｃｔｏｒ  Ｕｎｉｖｅｒｓａｌ  Ｏｉｌｓ（ＳＴＵＯｓ）またはＵｎｉｖｅｒｓａｌ  Ｔｒａｃｔｏｒ  Ｔｒａｎｓｍｉｓｓｉｏｎ  Ｏｉｌｓ（ＵＴＴＯｓ）は、エンジンオイルの性能を、変速装置、差動装置、ファイナルドライブプラネタリーギア、ウェットブレーキおよび油圧性能（ｈｙｄｒａｕｌｉｃ  ｐｅｒｆｏｒｍａｎｃｅ）に対する一つ以上の適応物と組み合わせることができる。ＵＴＴＯまたはＳＴＵＯ流動体を配合するために使用される多数の添加剤は機能において同様であるが、それらは適切に取り入れないと、有害な効果をもつ可能性がある。例えば、エンジンオイル中に使用される幾つかの摩耗防止剤および極圧添加剤は、油圧ポンプ内の銅部材に極めて腐食性である可能性がある。ガソリンまたはジーゼルエンジンの性能のために使用される清浄剤および分散剤は、ウェットブレーキの性能に有害である可能性がある。ウェットブレーキのノイズを静めるために使用される摩擦修正剤は、エンジンオイルの性能に要求される熱安定度に欠ける可能性がある。これらの流動体はそれぞれ、機能流動体、トラクター油圧油または潤滑流動体のいずれであろうとも、それらの意図される目的と関連した、特定の、厳格な製造会社の条件を充たすようになっている。
【００９０】
本開示の潤滑油組成物は、１種以上の添加剤の添加により、適切な基油中に配合されることができる。添加剤は、添加剤パッケージ（または濃厚物）の形態で基油と合わせるか、あるいはまた、基油と個々に合わせることができる。完全配合潤滑剤は、組成物中に使用される添加剤およびこれら添加剤のそれぞれの割合に基づいて、改善された性能特性を示すことができる。
【００９１】
本開示は、自動車のクランクケースの潤滑剤としての使用のために特別に配合された、新規の潤滑油ブレンドを含む。本開示の実施形態は、クランクケースの適用に適した、そして以下の特徴：空気の巻き込み、アルコール燃料混和性、抗酸化性、摩耗抵抗性、バイオ燃料混和性、消泡性、減摩性、燃料節約性、過早点火防止、錆抑制、スラッジおよび／またはススの分散性、および水許容性、における改良を有する潤滑油を提供することができる。
【００９２】
本開示の更なる詳細および利点は、一部は以下の説明に示され、そして／または本開示の実施により学習されることができる。本開示の詳細および利点は、特に付記の請求の範囲中に指摘される要素および組み合わせにより実現され、到達されることができる。以上の全般的説明および以下の詳細な説明は双方とも、典型的であり、説明的のみであり、そして請求される通りに本開示の範囲を限定するものではないことを理解することができる。
【発明を実施するための形態】
【００９３】
詳細な説明
具体的に示す目的のために、本開示の原則を、様々な典型的実施形態を参照することにより説明される。本明細書には特定の実施形態が具体的に説明されるが、当業者は、同様な原理が他のシステムおよび方法に同様に適用可能であり、使用することができることを容易に認めるであろう。本開示の開示される実施形態を詳細に説明する前に、本開示が、示されるあらゆる特定の実施形態の詳細に対するその適用において限定されないことを理解することができる。更に、本明細書に使用される用語は説明の目的のためのものであり、限定のためのものではない。更に、多数の場合、特定の方法が、特定の順序で本明細書に提示される工程に関して説明されるが、これらの工程は、当業者により認められることができるような、どんな順序でも実施されることができ、従って、新規の方法は、本明細書に開示される工程の特定の配列に限定はされない。
【００９４】
一つの態様においては、本開示は主要量の基油および少量の添加剤パッケージを含んでなる潤滑油を提供し、ここで該添加剤パッケージが、
（Ａ）
（ａ）少なくとも１種のアルコールと、式ＩＶ：
【００９５】
【化１２】
2014122342.tif 000013
【００９６】
［式中、Ｒは約８〜約２２個の炭素原子をもつ、直線状もしくは分枝状の、飽和、不飽和、または一部飽和ヒドロカルビル基であり、そして酸基上のヒドロキシ基はまた、所望される場合は、アルコールとの反応の前に適切な離脱基により置換されてもよい］
の化合物との反応生成物、および
（ｂ）式ＩＩおよびＩＩＩ：
【００９７】
【化１３】
2014122342.tif 000014
【００９８】
［式中、Ｒは約８〜約２２個の炭素原子をもつ、直線状もしくは分枝状の、飽和、不飽和、または一部飽和ヒドロカルビルであり、そしてＲ２とＲ３は独立に、水素、Ｃ１〜Ｃ１８ヒドロカルビル基および、１個以上のヘテロ原子を含むＣ１〜Ｃ１８ヒドロカルビル基、から選択される］；および
【００９９】
【化１４】
2014122342.tif 000015
【０１００】
［式中、Ｒは約８〜約２２個の炭素原子をもつ、直線状もしくは分枝状の、飽和、不飽和、または一部飽和ヒドロカルビルであり、そしてＸはアルカリ金属、アルカリ土類金属またはアンモニウムのカチオンであり、そしてｎはカチオンＸの原子価である］；の１種以上の化合物；
から選択される１種以上の化合物、並びに
（Ｂ）少なくとも１種の分散剤：
を含んでなる。
【０１０１】
アルコールはＲ１−ＯＨにより表されることができ、そのＲ１はＣ１〜Ｃ８ヒドロカルビル基または、１個以上のヘテロ原子を含むＣ１〜Ｃ８ヒドロカルビル基、を含んでなる
。
【０１０２】
本明細書に挙げるアルコールは本反応に使用することができる。これらの反応生成物は、１種以上のエステルを含んでなるか、またはそれより成ることができる。
【０１０３】
式ＩＶの化合物とのアルコールの反応生成物は、式Ｉ：
【０１０４】
【化１５】
2014122342.tif 000016
【０１０５】
［式中、Ｒは約８〜約２２個の炭素原子をもつ、直線状もしくは分枝状の、飽和、不飽和、または一部飽和ヒドロカルビルであり、そしてＲ１は水素、約１〜約８個の炭素原子をもつヒドロカルビルまたは、１個以上のヘテロ原子を含むＣ１〜Ｃ８ヒドロカルビル基である］
の１種以上の化合物を含んでなることができる。
【０１０６】
以上の潤滑油組成物はエンジンオイルを含んでなることができる。
【０１０７】
式Ｉ〜ＩＶは、アシルＮ−メチルグリシンおよびアシルＮ−メチルグリシン誘導体と呼ぶことができる化合物を表す。アシルＮ−メチルグリシン誘導体は、以下に、より詳細に考察されるような様々な化合物との、アシルＮ−メチルグリシンとの反応により製造されることができる。以上の化合物は、潤滑油中に配合される時に摩擦修正剤として働く。
【０１０８】
式Ｉ〜ＩＩＩにより表される摩擦修正剤は、約８〜約２２、または約１０〜約２０、または約１２〜約１８、または約１２〜約１６個の炭素原子を含んでなるＲ基をもつことができる。
【０１０９】
幾つかの実施形態においては、本開示の摩擦修正剤は、そのＲ１が水素である式Ｉにより表され、その化合物はアシルＮ−メチルグリシンと呼ばれることができる。幾つかの適切な化合物は、オレオイルサルコシン、ラウロイルサルコシン、ココイルサルコシン、２−（Ｎ−メチルオクタデカ−９−エンアミド）酢酸、２−（Ｎ−メチルドデカンアミド）酢酸、２−（Ｎ−メチルテトラデカンアミド）酢酸、２−（Ｎ−メチルヘキサデカンアミド）酢酸、２−（Ｎ−メチルオクタデカンアミド）酢酸、２−（Ｎ−メチルイコサンアミド）酢酸および２−（Ｎ−メチルドコサンアミド）酢酸を含む。
【０１１０】
一つの実施形態においては、潤滑油が、そのＲがオレイルであり、Ｒ１が水素である式Ｉの化合物、および式Ｉ、ＩＩまたはＩＩＩ以外の化合物を含む時は、分散剤は、琥珀酸のポリイソブチレン基が９００の数平均分子量をもつポリイソブチレン琥珀酸とテトラエチレン・ペントアミンの反応生成物ではない。
【０１１１】
幾つかの実施形態においては、本開示の摩擦修正剤は、そのＲ１が、約１〜約８個の炭素原子をもつヒドロカルビル基、または１個以上のヘテロ原子を含むＣ１〜Ｃ８ヒドロカルビル基から選択される、式Ｉにより表される化合物である。式Ｉにより表される摩擦修正剤はエステルを含んでなることができる。本開示における使用に適切な幾つかのエステルは、オレオイルサルコシンのエチルエステル、ラウロイルサルコシンのエチルエステル
、オレオイルサルコシンのブチルエステル、ココイルサルコシンのエチルエステル、ラウロイルサルコシンのペンチルエステル、エチル２−（Ｎ−メチルオクタデカ−９−エンアミド）アセテート、エチル２−（Ｎ−メチルドデカンアミド）アセテート、ブチル２−（Ｎ−メチルオクタデカ−９−エンアミド）アセテートおよびペンチル２−（Ｎ−メチルドデカンアミド）アセテートである。２−（Ｎ−メチルテトラデカ−９−エンアミド）酢酸、２−（Ｎ−メチルヘキサデカ−９−エンアミド）酢酸、２−（Ｎ−メチルオクタデカ−９−エンアミド）酢酸、２−（Ｎ−メチルオクタデカ−９，１２−ジエンアミド）酢酸および２−（Ｎ−メチルオクタデカ−９，１２，１５−トリエンアミド）酢酸のエステルのような不飽和エステルも使用することができる。
【０１１２】
幾つかの実施形態においては、摩擦修正剤は、そのＲ１が約１〜約８個の炭素原子をもつヒドロカルビルから選択される式Ｉにより表されるエステルを含んでなる。適切なエステルは、２−（Ｎ−メチルオクタデカ−９−エンアミド）酢酸のエチルエステル、２−（Ｎ−メチルドデカンアミド）酢酸のエチルエステル、２−（Ｎ−メチルオクタデカ−９−エンアミド）酢酸のブチルエステル、ココイルサルコシンのエチルエステルおよび２−（Ｎ−メチルドデカンアミド）酢酸のペンチルエステルであることができる。２−（Ｎ−メチルテトラデカ−９−エンアミド）酢酸、２−（Ｎ−メチルヘキサデカ−９−エンアミド）酢酸、２−（Ｎ−メチルオクタデカ−９−エンアミド）酢酸、２−（Ｎ−メチルオクタデカ−９，１２−ジエンアミド）酢酸および２−（Ｎ−メチルオクタデカ−９，１２，１５−トリエンアミド）酢酸のエステルのような不飽和エステルも使用することができる。
【０１１３】
エステルは、アシルＮ−メチルグリシンと少なくとも１種のアルコールとの反応生成物であることができる。アルコールがそれと反応することができるアシルＮ−メチルグリシンは、式ＩＶ：
【０１１４】
【化１６】
2014122342.tif 000017
【０１１５】
［式中、Ｒは約８〜約２２個の炭素原子をもつ、直線状もしくは分枝状の、飽和、不飽和、または一部飽和ヒドロカルビル基であり、そして酸基上のヒドロキシ基はまた、所望される場合は、アルコールとの反応の前に適切な離脱基により置換されてもよい］
により表すことができる。アルコールはＲ１−ＯＨにより表されることができ、そのＲ１はＣ１〜Ｃ８ヒドロカルビル基または、１個以上のヘテロ原子を含むＣ１〜Ｃ８ヒドロカルビル基を含んでなる。
【０１１６】
式ＩＶの幾つかの適切な化合物は、オレオイルサルコシン、ラウロイルサルコシン、ココイルサルコシン、２−（Ｎ−メチルオクタデカ−９−エンアミド）酢酸、２−（Ｎ−メチルドデカンアミド）酢酸、２−（Ｎ−メチルテトラデカンアミド）酢酸、２−（Ｎ−メチルヘキサデカンアミド）酢酸、２−（Ｎ−メチルオクタデカンアミド）酢酸、２−（Ｎ−メチルイコサンアミド）酢酸および２−（Ｎ−メチルドコサンアミド）酢酸を含む。
【０１１７】
本開示に従う摩擦修正剤を生成するための、式ＩＶの化合物との反応に適したアルコールは、メタノール、エタノール、ｎ−プロパノール、イソプロパノール、ｎ−ブタノール、イソブタノール、第三級ブタノール、ｎ−ペンタノール、イソペンタノールのようなペンタノール、ヘキサノール、ヘプタノールおよびオクタノールのような、直鎖もしくは分
枝鎖のＣ１−Ｃ８アルコール並びにエタン−１，２−ジオール、２−メトキシエタノールのような不飽和Ｃ１−Ｃ８アルコールおよびヘテロ原子含有Ｃ１−Ｃ８アルコール、エステルアルコール、またはトリエタノールアミンのようなアミノアルコール、を含む。エタノール、プロピルアルコールおよびブチルアルコールは本開示に従う摩擦修正剤の調製に有用である。
【０１１８】
幾つかの実施形態においては、本開示の摩擦修正剤は、そのＲ２とＲ３が独立に、水素、約１〜約１８個の炭素原子をもつヒドロカルビル基および、約１〜約１８個の炭素原子を含むヘテロ原子含有ヒドロカルビル基、から選択される式ＩＩにより表される。その他の実施形態においては、Ｒ２とＲ３は独立に、約３〜１２個の炭素原子をもつヒドロカルビル基およびヘテロ原子含有ヒドロカルビル基、または約４〜約８個の炭素原子をもつヒドロカルビル基およびヘテロ原子含有ヒドロカルビル基、から選択されることができる。式ＩＩにより表される摩擦修正剤はアミドである。
【０１１９】
アミドは、１種以上のアシルＮ−メチルグリシンまたはアシルＮ−メチルグリシン誘導体と１種以上のアミンとの反応生成物であることができる。アシルＮ−メチルグリシンは前記のような、式ＩＶにより表されることができる。アミンは式Ｖ：
【０１２０】
【化１７】
2014122342.tif 000018
【０１２１】
［式中、Ｒ２、Ｒ３およびＲ４は同一であるかまたは異なり、そして独立に、水素、約１〜約１８個、３〜約１２個、または約４〜約８個の炭素原子をもつヒドロカルビル基、または、ヘテロ原子含有ヒドロカルビル基から選択される］
により表されることができる。適切なアミンは第一級および第二級アミンを含む。適切なアミンは例えば、アンモニア、２−エチルヘキシルアミン、ｎ−ブチルアミン、ｔ−ブチルアミン、イソプロピルアミン、ｎ−ペンチルアミン、イソペンチルアミンを含むペンチルアミン、２−エチルプロピル−アミン、オクチルアミン、ジブチルアミンおよびジメチルアミノプロピルアミンを含む。適切なアミドは、例えば、１種以上の、メトキシエチルアミン、トリス−ヒドロキシメチル・アミノ−メタン（ＴＨＡＭ）、およびジエタノールアミンと、式ＩＶの化合物との反応生成物を含む。その他の適切なアミド反応生成物は、２−（Ｎ−メチルオクタデカ−９−エンアミド）酢酸と２−エチルヘキシルアミンとの反応生成物である。
【０１２２】
他の実施形態においては、本開示の摩擦修正剤は、そのＸがアルカリ金属もしくはアルカリ土類金属のカチオン、またはアンモニウムカチオンである式ＩＩＩにより表される金属塩またはアミン塩の形状にある。本開示中に使用のための摩擦修正剤として適切な塩は例えば、２−（Ｎ−メチルドデカンアミド）酢酸のナトリウム塩、２−（Ｎ−メチルオクタデカンアミド）酢酸のカリウム塩を含む、ナトリウム、リチウムおよびカリウム塩のような１価の塩、並びにカルシウム、マグネシウムおよびバリウム塩のような２価の塩を含む。
【０１２３】
式ＩＩＩのアミン塩は、アンモニウムイオンから選択されるアンモニウムカチオン、並びに第一級、第二級または第三級アミンのカチオンを含んでなることができる。アミンカチオン上のヒドロカルビル基は、独立に、約１〜約１８個の炭素原子、または約１〜約１２個の炭素原子、または約１〜約８個の炭素原子を含むヒドロカルビル基から選択されることができる。一つの実施形態においては、アンモニウムカチオン上のヒドロカルビル基
は約１４〜約１８個の炭素原子をもつことができる。適切なアミン塩は、２−（Ｎ−メチルドデカンアミド）酢酸の２−エチルヘキシルアミン塩および２−（Ｎ−メチルオクタデカンアミド）酢酸の２−エチルブチルアミン塩を含む。
【０１２４】
その他の態様においては、本開示は、主要量の基油および少量の添加剤パッケージを含んでなる潤滑油組成物を提供し、そこで、添加剤パッケージが、
（Ａ）式ＩＶ：
【０１２５】
【化１８】
2014122342.tif 000019
【０１２６】
［式中、Ｒは約８〜約２２個の炭素原子をもつ、直線状もしくは分枝状の、飽和、不飽和、または一部飽和ヒドロカルビルであり、そして酸基上の水素原子はまた、適切な離脱基により置換されてもよい］の１種以上の化合物と、アルカリ金属もしくはアルカリ土類金属の水酸化物、アルカリもしくはアルカリ土類金属の酸化物、アミンまたはそれらの混合物との反応生成物である、１種以上の塩；並びに
（Ｂ）少なくとも１種の分散剤：
を含んでなる。
【０１２７】
適切なアルカリ金属もしくはアルカリ土類金属の水酸化物または対応する酸化物は、限定はされないが、水酸化ナトリウム、水酸化カリウム、水酸化リチウム、水酸化カルシウム、酸化カルシウム、水酸化マグネシウム、水酸化バリウム、等を含む。
【０１２８】
本開示における使用のための摩擦修正剤として適切な塩は、例えば、２−（Ｎ−メチルドデカンアミド）酢酸のナトリウム塩、２−（Ｎ−メチルオクタデカンアミド）酢酸のカリウム塩のような１価の塩、カルシウム、マグネシウムおよびバリウム塩のような２価の塩を含む。
【０１２９】
以上の潤滑油組成物はエンジンオイルを含んでなることができる。
【０１３０】
その他の態様においては、本開示は、主要量の基油および少量の添加剤パッケージを含んでなる潤滑油組成物を提供し、その添加剤パッケージが、
（Ａ）式ＩＶ：
【０１３１】
【化１９】
2014122342.tif 000020
【０１３２】
［式中、Ｒは約８〜約２２個の炭素原子をもつ、直線状もしくは分枝状の、飽和、不飽和、または一部飽和ヒドロカルビル基である］の１種以上の化合物と、１種以上のアミンアルコールとの１種以上の反応生成物；並びに
（Ｂ）少なくとも１種の分散剤：
を含んでなる。
【０１３３】
適切なアミンアルコールは、限定はされないが、エタノールアミン、ジエタノールアミン、アミノエチル・エタノールアミン、トリス−ヒドロキシメチル・アミノ−メタン（ＴＨＡＭ）、等、並びにそれらの混合物を含む。
【０１３４】
幾つかの実施形態においては、潤滑油組成物はエンジンオイルである。
【０１３５】
幾つかの実施形態においては、式（ＩＶ）とアミンアルコールとの反応生成物は、アミドとエステルの混合物を含んでなるか、またはそれらより成ることができる。
【０１３６】
その他の態様においては、本開示は、主要量の基油および少量の添加剤パッケージを含んでなる潤滑油組成物を提供し、その添加剤パッケージが、
（Ａ）式ＩＶ：
【０１３７】
【化２０】
2014122342.tif 000021
【０１３８】
［式中、Ｒは、約８〜約２２個の炭素原子をもつ、直線状もしくは分枝状の、飽和、不飽和、または一部飽和ヒドロカルビル基である］の１種以上の化合物と、式Ｖ：
【０１３９】
【化２１】
2014122342.tif 000022
【０１４０】
［式中、Ｒ２、Ｒ３およびＲ４は独立に、水素、Ｃ１〜Ｃ１８ヒドロカルビル基、および１個以上のヘテロ原子を含むＣ１〜Ｃ１８ヒドロカルビル基から選択される］の、１種以上のアミンとの１種以上の反応生成物；並びに
（Ｂ）少なくとも１種の分散剤：
を含んでなる。
【０１４１】
幾つかの実施形態においては、潤滑油組成物はエンジンオイルである。
【０１４２】
本明細書に挙げたアミンは、本反応に使用することができる。これらの反応生成物は１種以上のアミドを含んでなるか、またはそれらより成ることができる。
【０１４３】
本開示はまた、主要量の基油および少量の添加剤パッケージを含んでなる潤滑油組成物を含み、その添加剤パッケージが、
（Ａ）式ＩＶ：
【０１４４】
【化２２】
2014122342.tif 000023
【０１４５】
［式中、Ｒは約８〜約２２個の炭素原子をもつ、直線状もしくは分枝状の、飽和、不飽和、または一部飽和ヒドロカルビル基である］の１種以上の化合物と、式Ｖ：
【０１４６】
【化２３】
2014122342.tif 000024
【０１４７】
［式中、Ｒ２、Ｒ３およびＲ４は独立に、水素、Ｃ１〜Ｃ１８ヒドロカルビル基および、１個以上のヘテロ原子を含むＣ１〜Ｃ１８ヒドロカルビル基、から選択される］の１種以上のアミンとの反応生成物である１種以上のアンモニウム塩；並びに
（Ｂ）少なくとも１種の分散剤：
を含んでなる。
【０１４８】
幾つかの実施形態においては、潤滑油組成物はエンジンオイルである。
【０１４９】
式ＩＶの化合物と１種以上のアミンとの反応によりアミン塩を生成するために使用されるアミンは、アンモニウムイオンまたは第一級、第二級もしくは第三級アミンカチオンを提供するアミンを含んでなることができる。アミンカチオン上のヒドロカルビル基は、約１〜約１８個の炭素原子、または約１〜約１２個の炭素原子、または約１〜約８個の炭素原子を含むヒドロカルビル基から独立に選択されることができる。一つの実施形態においては、アンモニウムカチオン上のヒドロカルビル基は、１４〜１８個の炭素原子をもつことができる。
【０１５０】
その他の態様においては、本開示は、主要量の基油および少量の添加剤パッケージを含んでなる潤滑油組成物を提供し、その添加剤パッケージが、
（Ａ）式ＩＶ：
【０１５１】
【化２４】
2014122342.tif 000025
【０１５２】
［式中、Ｒは約８〜約２２個の炭素原子をもつ、直線状もしくは分枝状の、飽和、不飽和、または一部飽和ヒドロカルビル基である］の１種以上の化合物と、式ＩＶの化合物との反応のための、本明細書に記載の２種以上の反応物の混合物との１種以上の反応生成物；並びに
（Ｂ）少なくとも１種の分散剤：
を含んでなる。
【０１５３】
成分（Ａ）としての、一つの特に適切な組み合わせ物は、１種以上のアルコールと式ＩＶの化合物との反応生成物、並びに１種以上のアルカリ金属もしくはアルカリ金属土類の水酸化物、アルカリ金属もしくはアルカリ金属土類の酸化物、または式Ｖのアミン、を含んでなる。
【０１５４】
これらの反応生成物を製造するために使用することができるアルコールは、本明細書に記載されるものと同様なアルコールである。アルカリ金属またはアルカリ金属土類の水酸化物およびアルカリ金属またはアルカリ金属土類の酸化物は、本明細書に記載されたものと同様である。成分（Ａ）のこれらの反応生成物は、式Ｉのエステルと、式ＩＩＩのアルカリ金属、アルカリ土類金属またはアンモニウム塩を含んでなるか、またはそれらより成ることができる。
【０１５５】
従って、幾つかの実施形態においては、本開示の潤滑油またはエンジンオイル組成物は、少なくとも１種の分散剤に加えて、それぞれ、本明細書に記載の式Ｉ〜ＩＩＩの摩擦修正剤並びにアルコール、アンモニア、アミン、アミノアルコール、アルカリ金属もしくはアルカリ土類金属の水酸化物、アルカリもしくはアルカリ土類金属の酸化物、およびそれらの混合物と式ＩＶの化合物との反応生成物、から独立に選択される２種以上の摩擦修正剤を含むことができる。このような実施形態は、潤滑油および、例えばエンジンオイルの特定の性状に合わせるために有用である。
【０１５６】
摩擦修正剤の混合物は、限定はされないが、２−（Ｎ−メチルオクタデカンアミド）酢酸と２−（Ｎ−メチルドデカンアミド）酢酸との混合物；２−（Ｎ−メチルオクタデカンアミド）酢酸とエチル２−（Ｎ−メチルオクタデカ−９−エンアミド）アセテートとの混合物；ココイルサルコシンとココイルサルコシンのエチルエステルとの混合物；エチル２−（Ｎ−メチルオクタデカ−９−エンアミド）アセテートとエチル２−（Ｎ−メチルドデカンアミド）アセテートとの混合物；２−（Ｎ−メチルオクタデカ−９−エンアミド）酢酸と２−（Ｎ−メチルドデカンアミド）酢酸との混合物；エチル２−（Ｎ−メチルオクタデカ−９−エンアミド）アセテートとココイルサルコシンのエチルエステルとの混合物；エチル２−（Ｎ−メチルドデカンアミド）アセテートとココイルサルコシンのエチルエステルとの混合物；およびエチル２−（Ｎ−メチルオクタデカ−９−エンアミド）アセテート、エチル２−（Ｎ−メチルドデカンアミド）アセテートおよびココイルサルコシンのエチルエステルの混合物、を含むことができる。
【０１５７】
本開示の１種以上の摩擦修正剤は、潤滑油組成物の総重量の約０．０５〜約２．０重量％、または０．１〜約２．０重量％、または約０．２〜約１．８重量％、または約０．５〜約１．５重量％、を含むことができる。完全配合エンジンオイルに適量の摩擦修正剤を送達するためには、摩擦修正剤の化合物の適量を添加剤パッケージ中に取り入れることができる。本開示の１種以上の摩擦修正剤は、添加剤パッケージの総重量の約０．１〜約２０重量％、または約１．０〜約２０重量％、または約２．０〜約１８重量％、または約５．０〜約１５重量％、を含んでなることができる。
【０１５８】
摩擦修正剤は、組み合わせて使用される時は、１：１００〜１００：１、１：１：１００〜１：１００：１〜１００：１：１、またはあらゆるその他の適当な比率、等で使用することができる。
【０１５９】
添加剤パッケージ中の成分（Ｂ）は、少なくとも１種の分散剤である。少なくとも１種の分散剤はヒドロカルビル置換スクシンイミドのようなスクシンイミド分散剤であることができる。分散剤は無灰分散剤であることができる。少なくとも１種の分散剤はマニッヒに基づく分散剤、エステル分散剤、エステルアミド分散剤またはその他の適切な分散剤タ
イプであることができる。
【０１６０】
ヒドロカルビル置換琥珀酸アシル化剤はヒドロカルビル置換スクシンイミドを製造するために使用することができる。ヒドロカルビル置換琥珀酸アシル化剤は、限定はされないが、ヒドロカルビル置換琥珀酸、ヒドロカルビル置換琥珀酸無水物、ヒドロカルビル置換琥珀酸ハロゲン化物（例えば、酸フッ化物および酸塩化物）、並びにヒドロカルビル置換琥珀酸と低級アルコール（例えば、７個までの炭素原子を含むもの）とのエステル、すなわちカルボン酸アシル化剤として働くことができるヒドロカルビル置換化合物、を含む。
【０１６１】
ヒドロカルビル置換アシル化剤は、適当な分子量のポリオレフィンまたは塩素化ポリオレフィンをマレイン酸無水物と反応させることにより製造することができる。同様なカルボン酸反応物を使用してアシル化剤を生成することができる。このような反応物は限定はされないが、対応する酸ハロゲン化物および低級脂肪族エステルを含むマレイン酸、フマル酸、リンゴ酸、酒石酸、イタコン酸、イタコン酸無水物、シトラコン酸、シトラコン酸無水物、メサコン酸、エチルマレイン酸無水物、ジメチルマレイン酸無水物、エチルマレイン酸、ジメチルマレイン酸、ヘキシルマレイン酸等を含むことができる。
【０１６２】
オレフィン化合物の分子量は置換琥珀酸無水物の意図される用途に応じて変動することができる。典型的には、置換琥珀酸無水物は約８〜５００個の炭素原子のヒドロカルビル基をもつことができる。しかし、潤滑油分散剤を生成するために使用される置換琥珀酸無水物は典型的には、約４０〜５００個の炭素原子のヒドロカルビル基をもつことができる。高分子の置換琥珀酸無水物に関しては、これらの置換琥珀酸無水物を生成するために使用されるオレフィン化合物は、エチレン、プロピレンおよびイソブチレンのような低分子量のオレフィン単量体の重合から生成される異なる分子量成分の混合物を含むことができるので、数平均分子量（Ｍｎ）に言及することが、より正確である。
【０１６３】
オレフィン化合物に対するマレイン酸無水物のモル比は広範に変動することができる。それは、例えば、約５：１〜約１：５、または例えば約１：１〜約３：１に変動することができる。約５００〜約７０００、または更なる例として約８００〜約３０００以上の数平均分子量をもつポリイソブチレンのようなオレフィンおよびエチレン−アルファ−オレフィン共重合体とともに、マレイン酸無水物は化学量論的過剰で、例えば、オレフィン１モルに対して３モルのマレイン酸無水物で、使用することができる。未反応のマレイン酸無水物は生成された反応混合物から気化させることができる。
【０１６４】
ポリアルケニル琥珀酸無水物は、触媒水素化のような従来の還元条件を使用することによりポリアルキル琥珀酸無水物に転化させることができる。触媒水素化に対して適切な触媒は炭素上パラジウムである。同様に、ポリアルケニル・スクシンイミドは、同様な還元条件を使用してポリアルキル・スクシンイミドに転化されることができる。
【０１６５】
本開示で使用される琥珀酸無水物上のポリアルキルまたはポリアルケニル置換基は一般的に、モノオレフィン、特に、エチレン、プロピレンおよびブチレンのような１−モノ−オレフィン、の重合体または共重合体であるポリオレフィンから誘導することができる。使用されるモノオレフィンは約２〜約２４個の炭素原子、または更なる例として、約３〜約１２個の炭素原子をもつことができる。その他の適切なモノ−オレフィンはプロピレン、ブチレン、特にイソブチレン、１−オクテン、および１−デセンを含む。このようなモノ−オレフィンから調製されるポリオレフィンは、ポリプロピレン、ポリブテン、ポリイソブテンおよび、１−オクテンおよび１−デセンから生成されるポリアルファオレフィインを含む。
【０１６６】
幾つかの態様においては、分散剤はイミド基を形成することができる少なくとも１個の第一級アミノ基をもつアミンの、１種以上のアルケニル・スクシンイミドを含むことができる。アルケニル・スクシンイミドは少なくとも１個の第一級アミノ基を含むアミンと、アルケニル琥珀酸無水物、酸、酸−エステル、酸ハロゲン化物、または低級アルキルエステルを加熱することによるような従来の方法により形成することができる。アルケニル琥珀酸無水物は、ポリオレフィンとマレイン酸無水物の混合物を約１８０〜２２０℃に加熱することにより、容易に生成することができる。ポリオレフィンは、ゲル透過クロマトグラフィー（ＧＰＣ）により決定されるように約３００〜約３０００の範囲の数平均分子量をもつ、エチレン、プロピレン、イソブテン等のような低級モノオレフィンの重合体または共重合体であることができる。
【０１６７】
無灰分散剤を形成する際に使用することができるアミンは、反応してイミド基を形成することができる少なくとも１個の第一級アミノ基、および少なくとも１個の更なる第一級もしくは第二級アミノ基および／または少なくとも１個のヒドロキシル基をもつあらゆる化合物を含む。幾つかの代表的例は、Ｎ−メチル−プロパンジアミン、Ｎ−ドデシルプロパンジアミン、Ｎ−アミノプロピル−ピペラジン、エタノールアミン、Ｎ−エタノール−エチレンジアミン、等：である。
【０１６８】
適切なアミンは、プロピレン・ジアミン、ジプロピレントリアミン、ジ−（１，２−ブチレン）トリアミン、およびテトラ−（１，２−プロピレン）ペンタミンのようなアルキレン・ポリアミンを含むことができる。更なる例は、そのｎが約１〜約１０の整数であることができる式Ｈ２Ｎ（ＣＨ２ＣＨ２−ＮＨ）ｎＨにより表すことができるエチレンポリアミンを含む。これらは、その場合はｎが混合物の平均値である混合物を含むエチレンジアミン、ジエチレントリアミン（ＤＥＴＡ）、トリエチレンテトラミン（ＴＥＴＡ）、テトラエチレンペンタミン（ＴＥＰＡ）、ペンタエチレンヘキサミン（ＰＥＨＡ）、等：を含む。このようなエチレンジアミン・ポリアミンは、それらがモノ−アルケニル・スクシンイミドおよびビス−アルケニル・スクシンイミドを形成することができるように、第一級アミン基を両端にもつ。市販のエチレンポリアミン混合物は、Ｎ−アミノエチルピペラジン、Ｎ，Ｎ’−ビス（アミノエチル）ピペラジン、Ｎ，Ｎ’−ビス（ピペラジニル）エタンおよび類似の化合物のような、少量の分枝化合物および環式化合物を含むことができる。市販の混合物は、ジエチレントリアミン〜テトラエチレンペントアミンに対応する範囲に入るほぼ全体的組成をもつことができる。ポリアルキレン・ポリアミンに対するポリアルケニル・琥珀酸無水物のモル比は約１：１〜約３．１：１であることができる。
【０１６９】
幾つかの態様においては、分散剤は、２種以上のそのような物質の混合物を含む、不飽和ポリカルボン酸または無水物、例えば、マレイン酸無水物、マレイン酸、フマル酸、等、との、ポリイソブテンのような適当な分子量のポリオレフィンとの反応により生成される炭化水素置換カルボン酸または無水物との、ポリエチレン・ポリアミン、例えば、トリエチレン・テトラミンまたはテトラエチレン・ペンタミン、の反応の生成物、を含むことができる。
【０１７０】
更に、本明細書に記載の分散剤を調製する際に適切なポリアミンは、Ｎ−フェニルフェニレンジアミン、例えば、Ｎ−フェニル−１，４−フェニレンジアミン、Ｎ−フェニル−１，３−フェニレンジアミンおよびＮ−フェニル−１，２−フェニレンジアミンのようなＮ−アリールフェニレンジアミン；アミノチアゾール、アミノベンゾチアゾール、アミノベンゾチアジアゾールおよびアミノアルキルチアゾールのようなアミノチアゾール；アミノカルバゾール；アミノインドール；アミノピロール；アミノ−インダゾリノン；アミノメルカプトトリアゾール；アミノペリミジン；１−（２−アミノエチル）イミダゾール−ｅ，１−（３−アミノプロピル）イミダゾールのようなアミノアルキルイミダゾール；および４−（３−アミノプロピル）モルホリンのようなアミノアルキルモルホリンを含む。
これらのポリアミンは米国特許第４，８６３，６２３号および第５，０７５，３８３号明細書に、より詳細に記載されている。
【０１７１】
ヒドロカルビル−置換スクシンイミドを形成する際に有用な更なるポリアミンは、米国特許第５，６３４，９５１号および第５，７２５，６１２号明細書に教示されるように、分子中に少なくとも１個の第一級または第二級アミノ基および少なくとも１個の第三級アミノ基をもつポリアミンを含む。適切なポリアミンの限定しない例は、Ｎ，Ｎ，Ｎ”，Ｎ”−テトラアルキルジアルキレントリアミン（２個の末端の第三級アミノ基および１個の中央の第二級アミノ基）、Ｎ，Ｎ，Ｎ’，Ｎ”−テトラアルキルトリアルキレンテトラミン（１個の末端の第三級アミノ基、２個の内部の第三級アミノ基および１個の末端の第一級アミノ基）、Ｎ，Ｎ，Ｎ’，Ｎ”，Ｎ”’−ペンタアルキルトリアルキレンテトラミン（１個の末端の第三級アミノ基、２個の内側の第三級アミノ基および１個の末端の第二級アミノ基）、トリス（ジアルキルアミノアルキル）アミノアルキルメタン（３個の末端の第三級アミノ基および１個の末端の第一級アミノ基）等の化合物を含み、そこでアルキル基は同一でも異なってもよく、典型的には、それぞれ、約１２個以下の炭素原子を含み、そしてそれぞれ、約１〜約４個の炭素原子を含むことができる。更なる例として、これらのアルキル基はメチルおよび／またはエチル基であることができる。このタイプのポリアミン反応物は、ジメチルアミノプロピルアミン（ＤＭＡＰＡ）およびＮ−メチルピペラジンを含むことができる。
【０１７２】
本開示に適切なヒドロキシアミンは、ヒドロカルビル置換琥珀酸または無水物と反応することができる少なくとも１種の第一級または第二級アミンを含む化合物、オリゴマーまたは重合体を含む。本開示における使用に適切なヒドロキシアミンの例は、アミノエチルエタノールアミン（ＡＥＥＡ）、アミノプロピルジエタノールアミン（ＡＰＤＥＡ）、エタノールアミン、ジエタノールアミン（ＤＥＡ）、一部プロポキシル化したヘキサメチレンジアミン（例えば、ＨＭＤＡ−２ＰＯまたはＨＭＤＡ−３ＰＯ）、３−アミノ−１，２−プロパンジオール、トリス（ヒドロキシメチル）アミノメタン、および２−アミノ−１，３−プロパンジオールを含む。
【０１７３】
ヒドロカルビル置換琥珀酸または無水物に対するアミンのモル比は、約１：１〜約３．０：１の範囲にあることができる。ヒドロカルビル置換琥珀酸または無水物に対するアミンのモル比の他の例は、約１．５：１〜約２．０：１の範囲にあることができる。
【０１７４】
幾つかの実施形態において、潤滑油は、後処理される少なくとも１種のポリイソブチレン・スクシンイミドを含む。後処理は、ホウ素化合物、無水物、アルデヒド、ケトン、リン化合物、エポキシド、およびカルボン酸よりなる群から選択される１種以上の化合物を使用して実施することができる。米国特許第７，６４５，７２６号、第７，２１４，６４９号および第８，０４８，８３１号明細書は、幾つかの適切な後処理法および後処理生成物につき記載している。
【０１７５】
後処理は、例えば、米国特許第５，７８６，３５３号明細書中に記載のようなマレイン酸無水物と硼酸で分散剤を処理することにより、または例えば、米国特許第５，１３７，９８０号明細書中に記載のように、ノニルフェノール、ホルムアルデヒドおよびグリコール酸で分散剤を処理することにより実施することができる。
【０１７６】
一つの実施形態においては、ポリイソブチレン・スクシンイミド分散剤はホウ素化合物で後処理され、そして潤滑剤のホウ素含量は、約２００〜約５００ｐｐｍの範囲、または約３００〜約５００ｐｐｍの範囲、または約３００〜約４００ｐｐｍの範囲内にある。
【０１７７】
幾つかの実施形態においては、本開示のポリアルキレン・スクシンイミドは式：
【０１７８】
【化２５】
2014122342.tif 000026
【０１７９】
［式中、Ｒ１は約８〜８００個の炭素原子をもつヒドロカルビル基であり、Ｘは２〜３個の炭素原子をもつ２価のアルキレンまたは第二級ヒドロキシ置換アルキレン基であり、Ａは水素または、グリコリル、ラクチル、２−ヒドロキシメチルプロピオニルおよび２，２’−ビスヒドロキシメチルプロピオニル基よりなる群から選択されるヒドロキシアシル基、であり、そしてそこでＡにより表される前記の基の少なくとも３０パーセントが前記のヒドロキシアシル基であり、ｎは１〜６の整数であり、そしてＲ２はＮＨ２、−ＮＨＡよりなる群から選択される基であり、ここでＡは本明細書に定義された通りであるか、または式：
【０１８０】
【化２６】
2014122342.tif 000027
【０１８１】
（式中、Ｒ１は本開示に定義の通りである）
をもつヒドロカルビル置換スクシニル基である］
により表されることができる。
【０１８２】
幾つかのその他の実施形態においては、本開示のポリアルキレン・スクシンイミド分散剤は式：
【０１８３】
【化２７】
2014122342.tif 000028
【０１８４】
［式中、Ｒ１は８〜８００の炭素原子をもつヒドロカルビル基であり、そして約５００〜
約１０，０００の範囲の数平均分子量をもつ；またはＲ１は約５００〜約３，０００の範囲の数平均分子量をもつ］
により表されることができる。
【０１８５】
幾つかの実施形態においては、ポリアルキレン・スクシンイミドは、約９００を超える、または約９００〜約５０００の範囲内の、または約１２００〜約５０００の範囲内の、または１２００〜約３０００の範囲内の、または約１２００〜約２０００の範囲内の、または約１２００の数平均分子量をもつポリイソブチレンから調製される。
【０１８６】
幾つかの他の実施形態においては、ポリイソブチレン・スクシンイミド分散剤は、約５０％を超える末端ビニリデン、または約５５％を超える末端ビニリデン、または６０％を超える末端ビニリデン、または約７０％を超える末端ビニリデン、または約８０％を超える末端ビニリデンをもつポリイソブチレンから調製される。このようなポリイソブチレンはまた、高反応性ポリイソブチレン（ＨＲ−ＰＩＢ）とも呼ばれる。約８００〜約５０００の範囲の数平均分子量をもつＨＲ−ＰＩＢは本開示における使用に特に適する。従来の、非高反応性のＰＩＢは典型的には、５０モル％未満、４０モル％未満、３０モル％未満、２０モル％未満、または１０モル％未満の末端ビニリデンを含有する。
【０１８７】
約９００〜約３０００の範囲内の数平均分子量をもつＨＲ−ＰＩＢは、本開示の潤滑油またはエンジンオイルに適切であることができる。このようなＨＲ−ＰＩＢは市販されているか、または米国特許第４，１５２，４９９号および第５，７３９，３５５号明細書に記載の通りに、ホウ素トリフルオリドのような非塩素化触媒の存在下におけるイソブテンの重合により合成することができる。前記の熱ｅｎｅ反応に使用される時は、ＨＲ−ＰＩＢは、増加された反応性により、より低い沈積形成量のみならずまた、反応においてより高い転化率に導くことができる。適切な方法は米国特許第７，８９７，６９６号明細書に記載されている。
【０１８８】
ポリイソブチレン・スクシンイミド分散剤は、潤滑油またはエンジンオイル組成物の最終重量に基づいて、約２０重量％までを提供するのに十分量で使用することができる。使用することができる分散剤の他の量は、本開示の潤滑油またはエンジンオイルの最終重量に基づいて約０．１重量％〜約１５重量％、または約０．１重量％〜１０重量％、または約３重量％〜１０重量％、または約１重量％〜約６重量％、または約７重量％〜約１２重量％であることができる。
【０１８９】
一つの実施形態においては、潤滑油が本明細書に記載の通りの唯一の摩擦修正剤を含み、その摩擦修正剤が、そのＲがオレイルであり、Ｒ１が水素である式Ｉにより表される時は、その分散剤は、そのポリイソブチレン基が９００の数平均分子量をもつ、ポリイソブチレン・琥珀酸とテトラエチレン・ペントアミンとの反応生成物であることができるか、または反応生成物でないかも知れない。
【０１９０】
本開示の添加剤パッケージおよび潤滑油またはエンジンオイルは更に、１種以上の、場合により使用される成分を含んでなることができる。これらの、場合により使用される成分の幾つかの例は、抗酸化剤、その他の摩耗防止剤、ホウ素含有化合物、清浄剤、分散剤、極圧剤、本開示の摩擦修正剤に加えるその他の摩擦修正剤、リン含有化合物、１種以上のモリブデン含有成分、化合物または代替物（ｓｕｂｓｔｉｔｕｅｎｔ（ｓ））、消泡剤、チタン含有化合物、粘度指数向上剤、流動点降下剤および希釈油を含む。本開示の添加剤パッケージおよびエンジンオイル中に含むことができる他の、場合により使用される成分は、以下に説明される。
【０１９１】
本明細書に記載の潤滑油はそれぞれ、エンジンオイルとして配合することができる。
【０１９２】
他の態様において、本開示は、薄膜の摩擦を改善または減少するための本明細書に記載の潤滑油のいずれかを使用する方法に関する。他の態様においては、本開示は、境界層の摩擦を改善または減少するための本明細書に記載の潤滑油のいずれかを使用する方法に関する。他の態様においては、本開示は、薄膜の摩擦および境界層の摩擦の両方を改善または減少するための本明細書に記載の潤滑油のいずれかを使用する方法に関する。これらの方法は、本明細書に記載のあらゆるタイプの表面の減摩に使用することができる。これらの態様それぞれにおいて、本開示の添加剤組成物は更に、シリンダーの壁上のワニス様堆積物の沈積を防止し、スラッジの懸濁物を形成し、そしてすすの凝集を防止する機能を提供することができる。
【０１９３】
更に他の態様においては、本開示は、本明細書に開示されたような、主要量の基油と少量の添加剤パッケージとを含んでなるエンジンオイルを使用して、エンジンを潤滑する工程を含んでなる、エンジン内の薄膜および境界層の摩擦を改善する方法を提供する。成分（Ａ）に適切な摩擦修正剤は、本明細書に記載の式Ｉ〜ＩＩＩのものである。更に、アルコール、アミノアルコール、アンモニア、アミン、アルカリ金属もしくはアルカリ土類金属の水酸化物、アルカリ金属もしくはアルカリ土類金属の酸化物およびそれらの混合物と、式ＩＶの１種以上の化合物との反応生成物も適切である。更に、本明細書に記載のような、式Ｉ〜ＩＩＩ並びにアルコール、アミノアルコール、アンモニア、アミン、アルカリ金属もしくはアルカリ土類金属の水酸化物、アルカリ金属もしくはアルカリ土類金属の酸化物およびそれらの混合物と、式ＩＶの化合物との反応生成物、からそれぞれ、独立に選択される、２種以上の摩擦修正剤の混合物も適切である。
【０１９４】
更に他の態様においては、本開示は、主要量の基油と、本明細書に開示された通りの摩擦修正剤を含んでなる少量の添加剤パッケージとを含んでなるエンジンオイルを使用して、エンジンを潤滑する工程を含んでなる、エンジン内の境界層の摩擦を改善する方法を提供する。成分（Ａ）に適切な摩擦修正剤は、本明細書に記載の式Ｉ〜ＩＩＩのものである。更に、アルコール、アミノアルコール、アンモニア、アミン、アルカリ金属もしくはアルカリ土類金属の水酸化物、アルカリ金属もしくはアルカリ土類金属の酸化物、およびそれらの混合物と、式ＩＶの１種以上の化合物との反応生成物も適切である。更に、式Ｉ〜ＩＩＩ並びに、アルコール、アミノアルコール、アンモニア、アミン、アルカリ金属もしくはアルカリ土類金属の水酸化物、アルカリ金属もしくはアルカリ土類金属の酸化物、およびそれらの混合物と、本明細書に記載の式ＩＶの化合物との反応生成物からそれぞれ、独立に選択される２種以上の摩擦修正剤の混合物も適切である。
【０１９５】
更に他の態様においては、本開示は、主要量の基油と、本明細書に開示された通りの摩擦修正剤を含んでなる少量の添加剤パッケージとを含んでなるエンジンオイルを使用して、エンジンを潤滑する工程を含んでなるエンジン内の薄膜の摩擦を改善する方法を提供する。成分（Ａ）に適切な摩擦修正剤は、本明細書に記載の式Ｉ〜ＩＩＩのものである。更に、アルコール、アミノアルコール、アンモニア、アミン、アルカリ金属もしくはアルカリ土類金属の水酸化物、アルカリ金属もしくはアルカリ土類金属の酸化物、およびそれらの混合物と、式ＩＶの１種以上の化合物との反応生成物も適切である。式Ｉ〜ＩＩＩ並びにアルコール、アミノアルコール、アンモニア、アミン、アルカリ金属もしくはアルカリ土類金属の水酸化物、アルカリ金属もしくはアルカリ土類金属の酸化物、およびそれらの混合物と、本明細書に記載の式ＩＶの化合物との反応生成物と、からそれぞれ、独立に選択される２種以上の摩擦修正剤も適切である。
【０１９６】
基油
本開示の潤滑油組成物中に使用される基油は、「米国石油協会（ＡＰＩ）の基油互換性指針」中に明記されたような、グループＩ〜Ｖ中のあらゆる基油から選択することができ
る。５つの基油のグループは以下の通りである：
【０１９７】
【表１】
2014122342.tif 000029
【０１９８】
グループＩ、ＩＩ、およびＩＩＩは鉱油の原料油である。グループＩＶの基油は、オレフィン不飽和炭化水素の重合により生成される真の合成分子化合物を含む。多数のグループＶの基油もまた真の合成産物であり、ジエステル、ポリオールエステル、ポリアルキレン・グリコール、アルキル化芳香族化合物、ポリリン酸エステル、ポリビニルエーテル、および／またはポリフェニルエーテル等を含むことができるが、更に、植物油のような天然に存在する油であることもできる。グループＩＩＩの基油は鉱油から誘導されるが、これらの流動体が受ける激しい処理が、それらの物理的特性をＰＡＯのような幾つかの真の合成物と非常に類似させることに注意しなければならない。従って、グループＩＩＩの基油から誘導される油は、当該産業においては、時々、合成流動体と呼ばれることができる。
【０１９９】
開示された潤滑油組成物中に使用される基油は、鉱油、動物油、植物油、合成油、またはそれらの混合物であることができる。適切な油は、水素化分解、水素化、水素仕上げ、未精製、精製、および再精製油およびそれらの混合物から誘導することができる。
【０２００】
未精製油は、僅かな更なる精製処理を伴う、または伴わない、天然、鉱物または合成原料から誘導されるものである。精製油は、１種以上の特性の改善をもたらす可能性がある１種以上の精製工程により処理されたことを除いて、未精製油と類似している。適切な精製法の例は、溶媒抽出法、二次蒸留、酸または塩基抽出法、濾過法、浸出濾過法、等である。食用油の品質まで精製される油は有用であることができるか、または有用ではないかも知れない。食用油はまた、白色油とも呼ばれる。幾つかの実施形態においては、潤滑剤組成物は食用油または白色油を含まない。
【０２０１】
再精製油はまた、再生（ｒｅｃｌａｉｍｅｄ）または再処理油として知られる。これらの油は、同一のまたは類似の方法を使用して精製油を得るために使用されるものと同様な方法で得られる。これらの油はしばしば、更に、消費済み添加剤および油の分解産物の除去を目指した方法により処理される。
【０２０２】
鉱油は、掘削により、または植物および動物およびそれらの混合物から得られる油を含むことができる。例えば、このような油は、限定はされないが、ひまし油、ラード油、オリーブ油、ピーナツ油、コーン油、大豆油およびアマニ油、並びに、パラフィン、ナフテンまたは混合パラフィン−ナフテンタイプの、液体石油および溶媒処理または酸処理鉱物潤滑油のような鉱物の潤滑油を含むことができる。このような油は、所望の場合は、一部
または完全に水素化されることができる。石炭またはシェールから誘導される油も有用であることができる。
【０２０３】
有用な合成潤滑油は、重合、オリゴマー化、または共重合オレフィン（例えば、ポリブチレン、ポリプロピレン、プロピレソ・イソブチレン共重合体）のような炭化水素油；ポリ（１−ヘキセン）、ポリ（１−オクテン）、１−デセンの三量体またはオリゴマー、例えば、ポリ（１−デセン）、（このような物質はしばしば、α−オレフィンと呼ばれる）およびそれらの混合物；アルキル−ベンゼン（例えば、ドデシルベンゼン、テトラデシルベンゼン、ジノニルベンゼン、ジ−（２−エチルヘキシル）−ベンゼン）；ポリフェニル化合物（例えば、ビフェニル、ターフェニル、アルキル化ポリフェニル化合物）；ジフェニルアルカン、アルキル化ジフェニルアルカン、アルキル化ジフェニルエーテルおよびアルキル化ジフェニルスルフィドおよび誘導体、それらの類似体および同族体またはそれらの混合物、を含むことができる。
【０２０４】
他の合成潤滑油は、リン含有酸のポリオールエステル、ジエステル、液体エステル（例えば、トリクレシル・ホスフェート、トリオクチル・ホスフェートおよび、デカンホスホン酸のジエチルエステル）、または重合体のテトラヒドロフランを含む。合成油は、Ｆｉｓｃｈｅｒ−Ｔｒｏｐｓｃｈ反応により生成することができ、典型的には、水素異性化（ｈｙｄｒｏｉｓｏｍｅｒｉｚｅｄ）されたＦｉｓｃｈｅｒ−Ｔｒｏｐｓｃｈ炭化水素またはワックスであることができる。一つの実施形態においては、油はＦｉｓｃｈｅｒ−Ｔｒｏｐｓｃｈ「ガスから液体」合成法により、並びに他の「ガスから液体」油から調製されることができる。
【０２０５】
存在する潤滑粘度の油の量は、１種以上の粘度指数向上剤および／または１種以上の流動点降下剤および／または他の上質な（ｔｏｐ）処理添加剤を含む性能添加剤の量の合計を１００重量％から差し引いた後に残るバランスであることができる。例えば、完成流動体中に存在することができる潤滑粘度の油は、約５０重量％を超える、約６０重量％を超える、約７０重量％を超える、約８０重量％を超える、約８５重量％を超える、または約９０重量％を超えるような主要量であることができる。
【０２０６】
抗酸化剤
本開示における潤滑油組成物はまた、場合により、１種以上の抗酸化剤を含むことができる。抗酸化化合物は知られており、例えば、フェナート、フェナートスルフィド、硫化オレフィン、リン硫化テルペン、硫化エステル、芳香族アミン、アルキル化ジフェニルアミン（例えば、ノニルジフェニルアミン、ジ−ノニルジフェニルアミン、オクチル・ジフェニルアミン、ジ−オクチル・ジフェニルアミン）、フェニル−アルファ−ナフチルアミン、アルキル化フェニル−アルファ−ナフチルアミン、ヒンダード非芳香族アミン、フェノール、ヒンダードフェノール、油溶性モリブデン化合物、高分子抗酸化剤、またはそれらの混合物を含む。抗酸化剤は単独でまたは組み合わせて使用することができる。
【０２０７】
ヒンダードフェノール抗酸化剤は、立体障害基として第二級ブチルおよび／または第三級ブチル基を含むことができる。フェノール基は更に、ヒドロカルビル基および／または、第２の芳香族基に結合する架橋基で置換されることができる。適切なヒンダードフェノール抗酸化剤の例は、２，６−ジ−ｔｅｒｔ−ブチルフェノール、４−メチル−２，６−ジ−ｔｅｒｔ−ブチルフェノール、４−エチル−２，６−ジ−ｔｅｒｔ−ブチルフェノール、４−プロピル−２，６−ジ−ｔｅｒｔ−ブチルフェノールまたは４−ブチル−２，６−ジ−ｔｅｒｔ−ブチルフェノール、あるいは４−ドデシル−２，６−ジ−ｔｅｒｔ−ブチルフェノールを含む。一つの実施形態においては、ヒンダードフェノール抗酸化剤はエステルであることができ、そして例えば、２，６−ジ−ｔｅｒｔ−ブチルフェノールと、そのアルキル基が約１〜約１８個、または約２〜約１２個、または約２〜約８個、または
約２〜約６個、または約４個の炭素原子を含むことができるアルキルアクリレート、とから誘導される付加生成物を含むことができる。
【０２０８】
有用な抗酸化剤はジアリールアミンと高分子フェノールを含むことができる。一つの実施形態においては、潤滑油組成物は、各抗酸化剤が、潤滑油組成物の最終重量に基づき、抗酸化剤の約５重量％までを提供するのに十分な量で存在することができるように、ジアリールアミンと高分子フェノールとの混合物を含むことができる。幾つかの実施形態においては、抗酸化剤は、潤滑油組成物の最終重量に基づき、約０．３〜約１．５重量％のジアリールアミンと約０．４〜約２．５重量％の高分子フェノールとの混合物であることができる。
【０２０９】
硫化オレフィンを形成するために硫化されることができる適切なオレフィンの例は、プロピレン、ブチレン、イソブチレン、ポリイソブチレン、ペンテン、ヘキセン、ヘプテン、オクテン、ノネン、デセン、ウンデセン、ドデセン、トリデセン、テトラデセン、ペンタデセン、ヘキサデセン、ヘプタデセン、オクタデセン、ノナデセン、エイコセンまたはそれらの混合物を含む。一つの実施形態においては、ヘキサデセン、ヘプタデセン、オクタデセン、ノナデセン、エイコセンまたはそれらの混合物およびそれらの二量体、三量体および四量体が特に有用なオレフィンである。あるいはまた、オレフィンは、１，３−ブタジエンのようなジエンと、ブチルアクリレートのような不飽和エステルとのディールスアルダー付加物であることができる。
【０２１０】
硫化オレフィンの他のクラスは、硫化脂肪酸とそれらのエステルを含む。脂肪酸はしばしば、植物油または動物油から得られ、そして典型的には、約４〜約２２個の炭素原子を含む。適切な脂肪酸とそれらのエステルの例は、トリグリセリド、オレイン酸、リノール酸、パルミトレン酸またはそれらの混合物を含む。脂肪酸はしばしば、ラード油、トール油、落花生油、大豆油、綿実油、ヒマワリの種油またはそれらの混合物から得られる。脂肪酸および／またはエステルは、α−オレフィンのようなオレフィン類と混合することができる。
【０２１１】
１種以上の抗酸化剤は、潤滑組成物の約０重量％〜約２０重量％、または約０．１重量％〜約１０重量％、または約１重量％〜約５重量％の範囲内で含まれることができる。
【０２１２】
摩耗防止剤
本開示における潤滑油組成物はまた、場合により１種以上の更なる摩耗防止剤を含むことができる。適切な摩耗防止剤の例は、限定はされないが、金属チオホスフェート；金属ジアルキル・ジチオホスフェート；そのリン酸エステルまたは塩；１種以上のホスフェートエステル；ホスファイト；リン含有カルボン酸エステル、エーテルまたはアミド；硫化オレフィン；チオカルバメートエステル、アルキレン結合チオカルバメートおよびビス（Ｓ−アルキルジチオカルバミル）ジスルフィドを含むチオカルバメート含有化合物；並びにそれらの混合物を含む。リン含有摩耗防止剤は、欧州特許第０６１２８３９号明細書に、より詳細に記載されている。有用な摩耗防止剤は亜鉛ジアルキル・ジチオホスフェートであることができる。
【０２１３】
摩耗防止剤は、潤滑組成物の総重量の約０重量％〜約１５重量％、または約０．０１重量％〜約１０重量％、または約０．０５重量％〜約５重量％、または約０．１重量％〜約３重量％の範囲内で含まれることができる。
【０２１４】
ホウ素含有化合物
本開示の潤滑油組成物は、場合により、１種以上のホウ素含有化合物を含むことができる。
【０２１５】
ホウ素含有化合物の例は、ホウ酸エステル、ホウ酸脂肪アミン、ホウ酸エポキシド、ホウ酸清浄剤および、米国特許第５，８８３，０５７号明細書に開示されたようなホウ酸スクシンイミド分散剤のようなホウ酸分散剤を含む。
【０２１６】
ホウ素含有化合物は、存在する場合は、潤滑組成物の総重量の約８重量％まで、約０．０１重量％〜約７重量％、約０．０５重量％〜約５重量％、または約０．１重量％〜約３重量％を提供するのに十分な量で使用することができる。
【０２１７】
清浄剤
潤滑剤組成物は場合により、１種以上の、中性、低塩基化、または過塩基性化清浄剤およびそれらの混合物を含んでなることができる。適切な清浄剤の基質はフェナート、硫黄含有フェナート、スルホネート、カリキサレート、サリキサレート、サリチレート、カルボン酸、リン酸、モノ−および／またはジ−チオリン酸、アルキルフェノール、硫黄結合アルキルフェノール化合物およびメチレン架橋フェノールを含む。適切な清浄剤およびそれらの調製法は、米国特許第７，７３２，３９０号明細書およびその中に引用された参考文献を含む多数の特許刊行物中に詳細に記載されている。
【０２１８】
清浄剤の基質は、限定はされないが、カルシウム、マグネシウム、カリウム、ナトリウム、リチウム、バリウム、またはそれらの混合物のような、アルカリ金属もしくはアルカリ土類金属で塩化されることができる。幾つかの実施形態においては、清浄剤はバリウムを含まない。適切な清浄剤は、そのアリール基がベンジル、トリルおよびキシリルの一つである、石油スルホン酸および長鎖モノ−もしくはジ−アルキルアリールスルホン酸のアルカリ金属もしくはアルカリ土類金属の塩を含むことができる。
【０２１９】
過塩基性化清浄剤の添加剤は当該技術分野で周知であり、アルカリ金属もしくはアルカリ土類金属の過塩基性化清浄剤の添加剤であることができる。このような清浄剤の添加剤は、金属酸化物または金属水酸化物を、基質および二酸化炭素ガスと反応させることにより調製することができる。基質は、典型的には、酸、例えば、脂肪族置換スルホン酸、脂肪族置換カルボン酸または脂肪族置換フェノールのような酸であることができる。
【０２２０】
用語「過塩基性化」は、そこに存在する金属の量が化学量論的量を超える、スルホネート、カルボキシレートおよびフェナートの金属塩のような、金属塩に関する。このような塩は１００％を超える転化レベルをもつことができる（すなわち、それらは、酸を、その「正常な」、「中性の」塩に転化させるために要する金属の理論的量の１００％超を含んでなることができる。）しばしばＭＲと省略される表現「金属比」は、知られた化学反応および化学量論に従う中性塩中の金属の化学当量に対する、過塩基性化塩中の金属の総化学当量の比率を表すために使用される。正常の、または中性の塩においては、金属比は１であり、過塩基性化塩中ではＭＲは１を超える。このような塩は一般に過塩基性化、超塩基性化またはスーパー塩基性化塩と呼ばれ、有機硫酸、カルボン酸またはフェノールの塩であることができる。
【０２２１】
過塩基性化清浄剤は１．１：１から、または２：１から、または４：１から、または５：１から、または７：１から、または１０：１からの金属比をもつことができる。
【０２２２】
幾つかの実施形態においては、清浄剤はエンジン内の錆を低減または防止するのに有効である。
【０２２３】
清浄剤は、潤滑剤組成物の総重量に基づいて、約０重量％〜約１０重量％、または約０．１重量％〜約８重量％、または約１重量％〜約４重量％、または約４重量％超〜約８重
量％で含まれることができる。
【０２２４】
更なる分散剤
潤滑剤組成物は場合により、更に、本明細書に考察される分散剤に加えて、１種以上の更なるタイプの分散剤またはそれらの混合物を含んでなることができる。分散剤は、潤滑油組成物中に混合する前に、それらが灰分形成金属を含まず、また潤滑剤に添加される時に通常、どんな灰分をももたらさないので、しばしば、無灰タイプの分散剤として知られる。無灰タイプの分散剤は、比較的高分子の炭化水素鎖に結合された極性基を特徴としてもつ。
【０２２５】
適切な、更なる分散剤の１クラスはマニッヒ塩基であることができる。マニッヒ塩基は、高分子の、アルキル置換フェノール、ポリアルキレン・ポリアミンおよび、ホルムアルデヒドのようなアルデヒド、の縮合により形成される物質である。マニッヒ塩基は米国特許第３，６３４，５１５号明細書に、より詳細に記載されている。
【０２２６】
適切なクラスの分散剤は、高分子エステルまたは半エステルアミドであることができる。
【０２２７】
一つの実施形態においては、分散剤はポリアルファオレフィイン（ＰＡＯ）琥珀酸無水物から誘導することができる。
【０２２８】
一つの実施形態においては、分散剤はオレフィンとマレイン酸無水物との共重合体から誘導することができる。一例として、分散剤はポリ−ＰＩＢＳＡと表すことができる。
【０２２９】
一つの実施形態においては、分散剤はエチレン−プロピレン共重合体にグラフトされた無水物から誘導することができる。
【０２３０】
これらの分散剤はまた、あらゆる、様々な物質との反応による従来の方法により、後処理することができる。これらの物質にはホウ素、尿素、チオ尿素、ジメルカプトチアジアゾール、炭素ジスルフィド、アルデヒド、ケトン、カルボン酸、炭水化物置換琥珀酸無水物、マレイン酸無水物、ニトリル、エポキシド、カーボネート、環式カーボネート、ヒンダードフェノールエステル、およびリン化合物が含まれる。米国特許第７，６４５，７２６号、第７，２１４，６４９号および第８，０４８，８３１号明細書は幾つかの適切な後処理法および後処理生成物につき記載している。
【０２３１】
本開示のエンジンオイル中の分散剤は、潤滑油組成物の総重量に基づいて約２０重量％までを提供するのに十分量で使用することができる。使用することができる分散剤の他の量は、潤滑油組成物の総重量に基づいて約０．１重量％〜約１５重量％、または約０．１重量％〜１０重量％、または約３重量％〜１０重量％、または約１重量％〜約６重量％、または約７重量％〜約１２重量％であることができる。
【０２３２】
極圧剤（Ｅｘｔｒｅｍｅ  Ｐｒｅｓｓｕｒｅ  Ａｇｅｎｔｓ）
本開示の潤滑油組成物はまた、場合により、１種以上の極圧剤を含むことができる。油中に可溶性である極圧（ＥＰ）剤は、硫黄およびクロロ硫黄含有ＥＰ剤、塩素化炭化水素ＥＰ剤およびリンＥＰ剤を含む。このようなＥＰ剤の例は、塩素化ワックス；ジベンジル・ジスルフィド、ビス（クロロベンジル）ジスルフィド、ジブチル・テトラスルフィド、オレイン酸の硫化メチルエステル、硫化アルキルフェノール、硫化ジペンテン、硫化テルペンおよび硫化ディールスアルダー付加物のような有機スルフィドおよびポリスルフィド；ターペンタインまたはメチルオレエートとのリンスルフィドの反応生成物のような、リン硫化炭化水素；ジヒドロカルビル・ホスファイトとトリヒドロカルビル・ホスファイト
、例えばジブチルホスファイト、ジヘプチルホスファイト、ジシクロヘキシルホスファイト、ペンチルフェニルホスファイト、ジペンチルフェニルホスファイト、トリデシルホスファイト、ジステアリルホスファイトおよびポリプロピレン置換フェニルホスファイトのようなリンエステル；亜鉛ジオクチル・ジチオカルバメートおよびバリウムヘプチルフェノール二酸のような金属チオカルバメート；例えば、ジアルキル・ジチオリン酸のプロピレン・オキシドとの反応生成物のアミン塩を含む、アルキルおよびジアルキルリン酸のアミン塩；並びにそれらの混合物を含む。
【０２３３】
摩擦修正剤
本開示の潤滑油組成物はまた、場合により、１種以上の更なる摩擦修正剤を含むことができる。適切な摩擦修正剤は、金属含有および金属を含まない摩擦修正剤を含んでなることができ、そして限定はされないが、イミダゾリン、アミド、アミン、スクシンイミド、アルコキシル化アミン、アルコキシル化エーテルアミン、アミン・オキシド、アミドアミン、ニトリル、ベタイン、第四級アミン、イミン、アミン塩、アミノグアニジン、アルカノールアミド、ホスホネート、金属含有化合物、グリセロールエステル、硫化脂肪化合物およびオレフィン、ヒマワリ油およびその他の天然に存在する植物または動物油、ジカルボン酸エステル、ポリオールと１種以上の脂肪族もしくは芳香族カルボン酸とのエステルもしくは部分エステル、等を含むことができる。
【０２３４】
適切な摩擦修正剤は、直鎖の、分枝鎖の、または芳香族のヒドロカルビル基またはそれらの混合物から選択されるヒドロカルビル基を含むことができ、そして飽和でも不飽和でもよい。ヒドロカルビル基は、炭素および水素または、硫黄もしくは酸素のようなヘテロ原子、より成ることができる。ヒドロカルビル基は約１２〜約２５個の炭素原子の範囲をもつことができる。一つの実施形態においては、摩擦修正剤は、長鎖の脂肪酸エステルであることができる。一つの実施形態においては、長鎖の脂肪酸エステルは、モノエステルまたはジエステル、または（トリ）グリセリドであることができる。摩擦修正剤は、長鎖の脂肪アミド、長鎖の脂肪エステル、長鎖の脂肪エポキシド誘導体、または長鎖のイミダゾリンであることができる。
【０２３５】
他の適切な摩擦修正剤は、有機の、無灰の（金属を含まない）、窒素を含まない有機摩擦修正剤を含むことができる。このような摩擦修正剤は、カルボン酸と無水物をアルカノールと反応させることにより形成されるエステルを含むことができ、そして一般に、親油性炭化水素鎖に共有結合された極性の末端基（例えば、カルボキシルまたはヒドロキシル）を含むことができる。有機の、無灰の、窒素を含まない摩擦修正剤の一例は、オレイン酸のモノ−、ジ−、およびトリ−エステルを含むことができる、一般にグリセロールモノオレエート（ＧＭＯ）として知られている。他の適切な摩擦修正剤は米国特許第６，７２３，６８５号明細書に記載されている。
【０２３６】
アミンの摩擦修正剤はアミンまたはポリアミンを含むことができる。このような化合物は、直線状の、飽和または不飽和のヒドロカルビル基、あるいはそれらの混合物をもつことができ、そして約１２〜約２５個の炭素原子を含むことができる。適切な摩擦修正剤の更なる例は、アルコキシル化アミンおよびアルコキシル化エーテルアミンを含む。このような化合物は、直線状の、飽和または不飽和のヒドロカルビル基、あるいはそれらの混合物をもつことができる。それらは約１２〜約２５個の炭素原子を含むことができる。例は、エトキシル化アミンおよびエトキシル化エーテルアミンを含む。
【０２３７】
アミンおよびアミドは、それら自体で、あるいは硼酸酸化物、ハロゲン化ホウ素、メタボレート、硼酸またはモノ−、ジ−もしくはトリ−アルキルボレートのようなホウ素化合物との付加物、または、反応生成物、の形態で使用することができる。その他の適切な摩擦修正剤は米国特許第６，３００，２９１号明細書に記載されている。
【０２３８】
摩擦修正剤は、潤滑剤組成物の総重量に基づき約０重量％〜約１０重量％、または約０．０１重量％〜約８重量％、または約０．１重量％〜約４重量％、の量で含まれることができる。
【０２３９】
モリブデン含有成分
本開示における潤滑油組成物はまた、１種以上のモリブデン含有化合物を含むことができる。油溶性モリブデン化合物は、摩耗防止剤、抗酸化剤、摩擦修正剤、またはこれらの機能のあらゆる組み合わせの機能的性能をもつことができる。油溶性モリブデン化合物は、モリブデン・ジチオカルバメート、モリブデン・ジアルキル・ジチオホスフェート、モリブデン・ジチオホスフィネート、モリブデン化合物のアミン塩、モリブデン・キサンテート、モリブデン・チオキサンテート、モリブデン・スルフィド、モリブデン・カルボキシレート、モリブデン・アルコキシド、三核有機モリブデン化合物および／またはそれらの混合物を含むことができる。モリブデン・スルフィドは、モリブデン・ジスルフィドを含む。モリブデンジスルフィドは、安定な分散物の形態にあることができる。一つの実施形態においては、油溶性のモリブデン化合物は、モリブデン・ジチオカルバメート、モリブデン・ジアルキル・ジチオホスフェート、モリブデン化合物のアミン塩、およびそれらの混合物よりなる群から選択することができる。一つの実施形態においては、油溶性モリブデン化合物はモリブデン・ジチオカルバメートであることができる。
【０２４０】
使用することができるモリブデン化合物の適切な例は、Ｒ．Ｔ．Ｖａｎｄｅｒｂｉｌｔ
Ｃｏ．，Ｌｔｄ．，からのＭｏｌｙｖａｎ  ８２２ＴＭ、ＭｏｌｙｖａｎＴＭ  Ａ、Ｍｏｌｙｖａｎ  ２０００ＴＭおよびＭｏｌｙｖａｎ  ８５５ＴＭ並びにＡｄｅｋａ  Ｃｏｒｐｏｒａｔｉｏｎから市販のＳａｋｕｒａ−ＬｕｂｅＴＭ  Ｓ−１６５、Ｓ−２００、Ｓ−３００、Ｓ−３１０Ｇ、Ｓ−５２５、Ｓ−６００、Ｓ−７００、およびＳ−７１０のような商品名で販売される商品、並びにそれらの混合物を含む。適切なモリブデン化合物は、米国特許第５，６５０．３８１号明細書および米国再発行特許第３７，３６３Ｅ１；第３８，９２９Ｅ１および第４０，５９５Ｅ１に記載されている。
【０２４１】
更に、モリブデン化合物は酸性モリブデン化合物であることができる。モリブデン酸、モリブデン酸アンモニウム、モリブデン酸ナトリウム、モリブデン酸カリウム、およびその他のアルカリ金属モリブテートおよび他のモリブデン酸塩、例えばモリブデン酸水素ナトリウム、ＭｏＯＣｌ４、ＭｏＯ２Ｂｒ２、Ｍｏ２Ｏ３Ｃｌ６、モリブデン・トリオキシドまたは同様な酸性モリブデン化合物が含まれる。あるいはまた、組成物は、例えば、米国特許第４，２６３，１５２号、第４，２８５，８２２号、第４，２８３，２９５号、第４，２７２，３８７号，第４，２６５，７７３号、第４，２６１，８４３号、第４，２５９，１９５号、および第４，２５９，１９４号明細書および国際公開出願第９４／０６８９７号パンフレット中に記載されたような塩基性窒素化合物のモリブデン／硫黄錯体によりモリブデンを提供されることができる。
【０２４２】
他のクラスの適切な有機モリブデン化合物は、式Ｍｏ３ＳｋＬｎＱ２のもののような三核モリブデン化合物およびそれらの混合物であり、そこでＳは硫黄を表し、Ｌは、化合物を油中に可溶性または分散可能にさせるのに十分な数の炭素原子を伴う有機基をもつ、独立に選択されるリガンドを表し、ｎは１〜４であり、ｋは４〜７に変動し、Ｑは水、アミン、アルコール、ホスフィン、およびエーテルのような中性の電子供与化合物の群から選択され、そしてｚは０〜５の範囲にあり、そして非化学量論的値を含む。少なくとも２１個の、または少なくとも２５個の、少なくとも３０個の、または少なくとも３５個の炭素原子が、すべてのリガンドの有機基中に存在することができる。更なる適切なモリブデン化合物は米国特許第６，７２３，６８５号明細書中に記載されている。
【０２４３】
油溶性モリブデン化合物は、潤滑剤組成物中に約０．５ｐｐｍ〜約２０００ｐｐｍ、約１ｐｐｍ〜約７００ｐｐｍ、約１ｐｐｍ〜約５５０ｐｐｍ、約５ｐｐｍ〜約３００ｐｐｍ、または約２０ｐｐｍ〜約２５０ｐｐｍのモリブデンを提供するのに十分な量で含まれることができる。
【０２４４】
粘度指数向上剤
本開示における潤滑油組成物はまた、場合により、１種以上の粘度指数向上剤を含むことができる。適切な粘度指数向上剤は、ポリオレフィン、オレフィン共重合体、エチレン／プロピレン共重合体、ポリイソブテン、水素化スチレン−イソプレン重合体、スチレン／マレイン酸エステル・共重合体、水素化スチレン／ブタジエン・共重合体、水素化イソプレン重合体、アルファ−オレフィン・マレイン酸無水物共重合体、ポリメタクリレート、ポリアクリレート、ポリアルキルスチレン、水素化アルケニルアリール共役ジエン共重合体、またはそれらの混合物を含むことができる。粘度指数向上剤は、星形高分子を含むことができ、また適切な例は米国公開第２０１２／０１０１０１７Ａ１に記載されている。
【０２４５】
本開示における潤滑油組成物はまた、場合により、粘度指数向上剤に加えて、または粘度指数向上剤の代りに、１種以上の分散剤の粘度指数向上剤を含むことができる。適切な分散剤の粘度指数向上剤は、官能化ポリオレフィン、例えば、アシル化剤（マレイン酸無水物のような）とアミンとの反応生成物で官能化されたエチレン−プロピレン共重合体；アミンで官能化されたポリメタクリレート、またはアミンと反応されたエステル化マレイン酸無水物−スチレン共重合体、を含むことができる。
【０２４６】
粘度指数向上剤および／または分散剤の粘度指数向上剤の総量は、潤滑組成物の総重量に基づいて約０重量％〜約２０重量％、約０．１重量％〜約１５重量％、約０．１重量％〜約１２重量％、または約０．５重量％〜約１０重量％であることができる。
【０２４７】
その他の、場合により使用される添加剤
潤滑液に必要な１種以上の機能を実施するために、その他の添加剤を選択することができる。更に、１種以上の言及される添加剤は、多機能性で、本明細書に記載の機能に加えて、またはそれら以外の他の機能を提供することができる。
【０２４８】
本開示に従う潤滑組成物は、場合により、他の性能添加剤を含んでなることができる。他の性能添加剤は、本開示の特定の添加剤に付け加えることができ、そして／または１種以上の、金属失活剤、粘度指数向上剤、清浄剤、無灰ＴＢＮ増強剤、摩擦修正剤、摩耗防止剤、腐食防止剤、錆防止剤、分散剤、分散剤の粘度指数向上剤、極圧剤、抗酸化剤、消泡剤、抗乳化剤、乳化剤、流動点降下剤、シール膨張剤、およびそれらの混合物を含んでなることができる。完全配合潤滑油は典型的には、１種以上のこれらの性能添加剤を含むであろう。
【０２４９】
適切な金属失活剤は、ベンゾトリアゾール（典型的にはトリルトリアゾール）の誘導体、ジメルカプト・チアジアゾール誘導体、１，２，４−トリアゾール、ベンズイミダゾール、２−アルキルジチオ・ベンズイミダゾール、または２−アルキルジチオ・ベンゾチアゾール；エチルアクリレートおよび２−エチルヘキシルアクリレートおよび場合によりビニルアセテートの共重合体を含む消泡剤；トリアルキルホスフェート、ポリエチレングリコール、ポリエチレン・オキシド、ポリプロピレン・オキシドおよび（エチレンオキシド−プロピレンオキシド）重合体を含む抗乳化剤；マレイン酸無水物−スチレンのエステル、ポリメタクリレート、ポリアクリレートまたはポリアクリルアミドを含む流動点降下剤、を含むことができる。
【０２５０】
適切な消泡剤は、シロキサンのようなケイ素基剤の化合物を含む。
【０２５１】
適切な流動点降下剤は、ポリメチルメタクリレートまたはそれらの混合物を含むことができる。流動点降下剤は、潤滑油組成物の総重量に基づいて、約０重量％〜約１重量％、約０．０１重量％〜約０．５重量％、または約０．０２重量％〜約０．０４重量％、を提供するのに十分な量で含まれることができる。
【０２５２】
適切な錆防止剤は、鉄類の表面の腐食を防止する特性をもつ、単一の化合物または化合物の混合物であることができる。本開示で有用な錆防止剤の限定されない例は、２−エチルヘキサン酸、ラウリン酸、ミリスチン酸、パルミチン酸、オレイン酸、リノール酸、リノレン酸、ベヘン酸およびセロチン酸のような油溶性の高分子の有機酸、並びに、トール油の脂肪酸、オレイン酸およびリノール酸から製造されるような二量体および三量体の酸を含む油溶性のポリカルボン酸を含む。その他の適切な腐食防止剤は、約６００〜約３０００の分子量範囲の長鎖のアルファ、オメガ−ジカルボン酸および、テトラプロペニル琥珀酸、テトラデセニル琥珀酸およびヘキサデセニル琥珀酸のような、そのアルケニル基が約１０個以上の炭素原子を含むアルケニル琥珀酸、を含む。酸性の腐食防止剤の他の有用なタイプは、ポリグリコールのようなアルコールとの、アルケニル基中に約８〜２４個の炭素原子をもつアルケニル琥珀酸の半エステルである。このようなアルケニル琥珀酸の対応する半アミドもまた有用である。有用な錆防止剤は、高分子の有機酸である。幾つかの実施形態においては、潤滑組成物またはエンジンオイルは錆防止剤を含まない。
【０２５３】
錆防止剤は、潤滑油組成物の総重量に基づいて約０重量％〜約５重量％、約０．０１重量％〜約３重量％、約０．１重量％〜約２重量％を提供するのに十分な量で使用することができる。
【０２５４】
一般的に、適切なクランクケースの潤滑剤は以下の表にあげた範囲の、１種以上の添加剤成分を含むことができる。
【０２５５】
【表２】
2014122342.tif 000030
【０２５６】
前記の各成分の百分率は、最終潤滑油組成物の総重量に基づく各成分の総重量パーセントを表す。潤滑油組成物の残りまたはバランスは１種以上の基油よりなる。
【０２５７】
本明細書に記載の、組成物を配合する際に使用される添加剤は、個々に、または様々な準組み合わせ物として、基油中にブレンドされることができる。しかし、添加剤濃厚物（すなわち、添加剤プラス炭化水素溶媒のような希釈剤）を使用して、すべての１種以上の成分を同時にブレンドすることは適切な可能性がある。
【実施例】
【０２５８】
以下の実施例は、本開示の方法および組成物を、限定せずに具体的に示す。本分野で通常遭遇され、そして当業者に明白な、様々の条件およびパラメーターの、その他の適切な修飾物および適用物は本開示の範囲内にある。
【０２５９】
【表３】
2014122342.tif 000031
【実施例１】
【０２６０】
オレオイル・ブチルサルコシネート（ＢｕＯＳ）
頭上撹拌装置、ディーンスタークトラップおよび熱電対を備えた５００ｍＬ用樹脂ケトルに２８１ｇ（０．８モル）のオレオイルサルコシン、２３７ｇのブタノールおよび０．３８ｇのＡｍｂｅｒｌｙｓｔ  １５の酸性樹脂を充填した。３０分毎に２５ｍＬのアリコートを除去しながら、反応混合物を窒素下で撹拌しながら３時間還流下で加熱した。次に反応混合物を真空濃縮し、濾取すると、３１０ｇの生成物を与えた。
【実施例２】
【０２６１】
オレオイル・エチルサルコシネート（ＥｔＯＳ）
頭上撹拌装置、ディーンスタークトラップおよび熱電対を備えた５００ｍＬ用樹脂ケトルに２８１ｇ（０．８モル）のオレオイルサルコシンおよび２９５ｇのエタノールを充填した。３０分毎に２５ｍＬのアリコートを除去しながら、反応混合物を窒素下で撹拌しながら３時間還流下で加熱した。次に反応混合物を真空濃縮すると、２８０ｇの生成物を与えた。
【実施例３】
【０２６２】
ラウロイル・エチルサルコシネート（ＥｔＬＳ）
頭上撹拌装置、ディーンスタークトラップおよび熱電対を備えた５００ｍＬ用樹脂ケトルに１２８．５ｇ（０．５モル）のラウロイルサルコシンおよび３４５．５ｇのエタノールを充填した。３０分毎に２５ｍＬのアリコートを除去しながら、反応混合物を窒素下で撹拌しながら３時間還流下で加熱した。次に反応混合物を真空濃縮すると、１２６．２ｇの生成物を与えた。
【実施例４】
【０２６３】
ココイル・エチルサルコシネート（ＥｔＣＳ）
頭上撹拌装置、ディーンスタークトラップおよび熱電対を備えた５００ｍＬ用樹脂ケトルに２００ｇ（０．７１モル）のココイルサルコシンおよび３２９ｇのエタノールを充填した。３０分毎に２５ｍＬのアリコートを除去しながら、反応混合物を窒素下で撹拌しながら３時間還流下で加熱した。次に反応混合物を真空濃縮すると、２０１ｇの生成物を与えた。
【実施例５】
【０２６４】
オレオイル２−エチルヘキシル・サルコシネート
頭上撹拌装置、ディーンスタークトラップおよび熱電対を備えた５００ｍＬ用樹脂ケトルに１７５．６ｇ（０．５モル）のオレオイルサルコシンおよび６５．１ｇの２−エチルヘキサノールを充填した。反応混合物を窒素下で撹拌しながら３時間１５０℃で加熱した。次に反応混合物を真空濃縮すると、４２１．７ｇの生成物を与えた。
【実施例６】
【０２６５】
オレオイル２−メトキシエチル・サルコシネート（ＭｅＯＥｔ−ＯＳ）
頭上撹拌装置、ディーンスタークトラップおよび熱電対を備えた１Ｌ用樹脂ケトルに１４０．４ｇ（０．４モル）のオレオイルサルコシン、４８．１ｇのジエチレングリコール・メチルエーテルおよび１．０ｇのＡｍｂｅｒｌｙｓｔ  １５の酸性樹脂を充填した。反応混合物を窒素下で撹拌しながら３時間１６０℃に加熱した。次に反応混合物を真空濃縮し、１８１．３ｇのプロセスオイルで希釈し、濾取すると、２７３．５ｇの生成物を与えた。
【実施例７】
【０２６６】
オレオイル２−ヒドロキシエチル・サルコシネート（ＨＯＥｔ−ＯＳ）
頭上撹拌装置、ディーンスタークトラップおよび熱電対を備えた５００ｍＬ用樹脂ケトルに１７５．５ｇ（０．５モル）のオレオイルサルコシン、３２ｇのエチレングリコールおよび１．０ｇのＡｍｂｅｒｌｙｓｔ  １５の酸性樹脂を充填した。反応混合物を窒素下撹拌しながら３時間１６０℃で加熱した。次に反応混合物を真空濃縮し、１９８．５ｇのプロセスオイルで希釈し、濾取すると、３１２．７ｇの生成物を与えた。
【実施例８】
【０２６７】
ラウロイル２−ヒドロキシエチル・サルコシネート（ＨＯ−ＥｔＬＳ）
頭上撹拌装置、ディーンスタークトラップおよび熱電対を備えた５００ｍＬ用樹脂ケトルに１２８．５ｇ（０．５モル）のラウロイルサルコシン、３２ｇのエチレングリコールを充填した。反応混合物を窒素下で撹拌しながら３時間１６０℃で加熱した。次に反応混合物を真空濃縮し、１５１．５ｇのプロセスオイルで希釈すると、２７７．５ｇの生成物を与えた。
【実施例９】
【０２６８】
Ｎ−オレオイル−Ｎ’−２−エチルヘキシル・サルコシンアミド
頭上撹拌装置、ディーンスタークトラップおよび熱電対を備えた１Ｌ用樹脂ケトルに１０７ｇ（０．３１モル）のオレオイルサルコシンおよび３９．４ｇの２−エチル−１−ヘキシルアミンを充填した。反応混合物を窒素下で撹拌しながら３時間１３０℃で加熱した。次に反応混合物を真空濃縮すると、２６６．６ｇの生成物を与えた。
【実施例１０】
【０２６９】
Ｎ−オレオイル−Ｎ’−２メトキシエチル・サルコシンアミド
頭上撹拌装置、ディーンスタークトラップおよび熱電対を備えた１Ｌ用樹脂ケトルに１４０．４ｇ（０．４モル）のオレオイルサルコシン、３０ｇのメトキシエチルアミンおよび１．０ｇのＡｍｂｅｒｌｙｓｔ  １５の酸性樹脂を充填した。反応混合物を窒素下で撹
拌しながら３時間１５０℃で加熱した。次に反応混合物を真空濃縮し、１６３．２ｇのプロセスオイルで希釈し、濾取すると、２６３．９ｇの生成物を与えた。
【実施例１１】
【０２７０】
Ｎ−オレオイル−Ｎ’−３ジメチルアミノプロピル・サルコシンアミド
頭上撹拌装置、ディーンスタークトラップおよび熱電対を備えた５００ｍＬ用樹脂ケトルに１７５．５ｇ（０．５モル）のオレオイルサルコシン、５１．１ｇの３−ジメチルアミノプロピルアミンおよび１．０ｇのＡｍｂｅｒｌｙｓｔ  １５の酸性樹脂を充填した。反応混合物を窒素下で撹拌しながら３時間１５０℃で加熱した。次に反応混合物を真空濃縮し、２１７．６ｇのプロセスオイルで希釈し、濾取すると、３７７．８ｇの生成物を与えた。
【実施例１２】
【０２７１】
Ｎ−オレオイル−Ｎ’，Ｎ’ビス（２−ヒドロキシエチル）サルコシンアミド
頭上撹拌装置、ディーンスタークトラップおよび熱電対を備えた５００ｍＬ用樹脂ケトルに１７５．５ｇ（０．５モル）のオレオイルサルコシン、５２．６ｇのジエタノールアミンおよび１．０ｇのＡｍｂｅｒｌｙｓｔ  １５の酸性樹脂を充填した。反応混合物を窒素下で撹拌しながら３時間１５０℃で加熱した。次に反応混合物を真空濃縮し、２１９ｇのプロセスオイルで希釈し、濾取すると、３７１．６ｇの生成物を与えた。
【実施例１３】
【０２７２】
Ｃｈａｔｔｅｍ  Ｃｈｅｍｉｃａｌｓから市販のＨＡＭＰＯＳＹＬ（登録商標）  Ｌ−９５のようなラウロイル・サルコシンナトリウム
【実施例１４】
【０２７３】
Ｃｒｏｄａ  Ｉｎｃ．から市販のＣＲＯＤＡＳＩＮＩＣＴＭ  Ｃのようなココイル・サルコシン
【実施例１５】
【０２７４】
Ｃｒｏｄａ  Ｉｎｃ．から市販のＣＲＯＤＡＳＩＮＩＣＴＭ  Ｌのようなラウロイル・サルコシン
【実施例１６】
【０２７５】
Ｃｒｏｄａ  Ｉｎｃ．から市販のＣＲＯＤＡＳＩＮＩＣＴＭ  Ｏ、またはＣｈａｔｔｅｍ
Ｃｈｅｍｉｃａｌｓから市販のＨＡＭＰＯＳＹＬ（登録商標）  Ｏのようなオレオイルサルコシン
【実施例１７】
【０２７６】
Ｃｒｏｄａ  Ｉｎｃ．から市販のＣＲＯＤＡＳＩＮＩＣＴＭ  ＳＭのようなステアロイル・サルコシンとミリストイル・サルコシン混合物
【０２７７】
エンジン潤滑剤は高周波往復リグ（ＨＦＲＲ）試験および薄膜機能（ＴＦＦ）試験にかけた。境界潤滑体制の摩擦係数を測定するためにＰＣＳ装置からのＨＦＲＲが使用された。摩擦係数はＳＡＥ  ５２１００金属ボールとＳＡＥ  ５２１００金属ディスク間で、１３０℃で測定された。ボールは、４．０Ｎの加荷重を伴って１ｍｍの経路上を２０Ｈｚの周波数でディスクを横切って往復させた。潤滑剤の境界層の摩擦を低下させる能力は、測定された境界の潤滑体制の摩擦係数により反映される。より低い値がより低い摩擦を示す。
【０２７８】
ＴＦＦ試験は、ＰＣＳ  ＩｎｓｔｒｕｍｅｎｔｓからのＭｉｎｉ−Ｔｒａｃｔｉｏｎ  
Ｍａｃｈｉｎｅ（小型牽引機）（ＭＴＭ）を使用して、薄膜潤滑体制の牽引係数を測定する。これらの牽引係数は、油が５００ｍｍ／ｓの巻き込み速度で接触区域中を引かれる時に、ＡＮＳＩ  ５２１００鋼ディスクとＡＮＳＩ  ５２１００鋼ボール間の５０Ｎの加荷重を伴って１３０℃で測定された。測定期間中、ボールとディスク間に２０％のスライド対ロール比率が維持された。薄膜の摩擦を低下する潤滑剤の能力は、測定された薄膜潤滑支配の牽引係数により反映される。より低い値がより低い摩擦を示す。
【０２７９】
本開示に従う潤滑油の例は、以下に示される異なる摩擦修正剤化合物と、分散剤とを使用して調製された。
【０２８０】
これらのエンジンオイル中の分散剤は２１００〜２３００ＭＷのスクシンイミド（分散剤１）、１３００ＭＷのスクシンイミド（分散剤２）および硼酸化１３００ＭＷのスクシンイミド（分散剤３）であった。記載された分子量は最初のＨＲ−ＰＩＢ反応物を表す。表４および５のデータは、２種の記載された摩擦修正剤の５０／５０重量％のブレンドを使用した。混合物の総処理速度は、記載のものを除く、総ブレンドに対して０．５重量％であった。
【０２８１】
表４の試験流動体は基礎流動体として、摩擦修正剤と分散剤がそれから除去されているＳＡＥ  ５Ｗ−２０、ＧＦ−５品質の油を使用した。この基礎流動体は油ブレンドに約８００ｐｐｍのリンを送達する処理速度においてＺＤＤＰを含んだ。比較ブレンドＡ〜Ｆは、摩擦修正剤を含まないが、記載の分散剤を使用して配合されたこの同一の基礎流動体を使用した。
【０２８２】
【表４】
2014122342.tif 000032
【０２８３】
境界層の摩擦（ＨＦＲＲ）は、分散剤を含むが摩擦修正剤を含まない潤滑剤に比較して、本開示のアシルＮ−メチルグリシンと分散剤とを含む潤滑剤中で有意に低いことが認められた。薄膜摩擦（ＴＦＦ）の牽引係数も、分散剤を含むが摩擦修正剤を含まない潤滑剤に比較して、本開示のアシルＮ−メチルグリシンと分散剤とを含む潤滑剤中で有意に低い。本開示の添加剤組み合わせ物は、分散剤を含むが摩擦修正剤を含まない潤滑剤と比較すると、境界層摩擦と薄膜摩擦の双方を有効に低下させることができる。境界層摩擦と薄膜摩擦の双方の低下は、少なくとも１種の分散剤がエンジンオイル中に存在する時に更に有意であるように見える。
【０２８４】
表５のブレンドは、約８００ｐｐｍのリンを送達する処理速度で、基油と記載のＺＤＤＰを含む基礎流動体を使用した。表５のデータは２種の摩擦修正剤の５０／５０重量％のブレンドを使用した。この摩擦修正剤混合物の総処理速度は、総ブレンドに対して０．５重量％であった。試験ブレンドはこの基礎流動体を使用し、そして、記載された摩擦修正剤ブレンド、記載された分散剤および記載されたＺＤＤＰを使用して配合された。比較ブレンドＧ〜Ｌは、摩擦修正剤を含まない同一の基礎流動体を使用したが、記載の分散剤および記載のＺＤＤＰを使用して配合された。
【０２８５】
【表５】
2014122342.tif 000033
【０２８６】
境界層の摩擦（ＨＦＲＲ）は、ＺＤＤＰ／分散剤を含むが摩擦修正剤を含まない潤滑剤と比較して、アシルＮ−メチルグリシンとＺＤＤＰ／分散剤を含む潤滑剤中で有意に低かった。薄膜摩擦（ＴＦＦ）に対する牽引係数もまた、ＺＤＤＰ／分散剤を含むが摩擦修正剤を含まない潤滑剤と比較して、アシルＮ−メチルグリシンとＺＤＤＰ／分散剤を含む潤滑剤中で有意に低かった。第一級ＺＤＤＰまたは第二級ＺＤＤＰのいずれかと組み合わせると、本開示に従うこれらの流動体は、境界層の摩擦および薄膜の摩擦の片方または両方を有効に低下させることができる。
【０２８７】
表４および５から、本開示の化合物はそれぞれ、様々なＺＤＤＰの実施例および様々な分散剤の実施例の存在下で使用されると、摩擦修正剤として有効に働くことは明白である。境界層の摩擦（ＨＦＲＲ）の摩擦係数は、摩擦修正剤を含まない油と比較すると、本開示に従う油が使用されると、有意に低い。薄膜の摩擦（ＴＦＦ）の牽引係数も、摩擦修正剤を含まない潤滑剤と比較すると、本開示の油が使用されると、一般的に、より低い。これらの試験から、本開示に従う油は、境界層の摩擦および薄膜の摩擦の両方を有効に低下させることが明白である。
【０２８８】
本開示の他の実施形態は、本明細書に開示された明細の考慮および実施形態の実施から、当業者に明白であろう。明細および実施例は説明的のみであると考えられ、開示の真の精神は以下の請求の範囲により記述されることが意図される。
【０２８９】
本明細書に言及されるすべての文献は、それらの全体を、あるいはまた、それらが特別にそれに基づいた開示物を提供するために、参照することにより本明細書に引用されたこ
ととされる。
【０２９０】
以上の実施形態は、実施において著しい変動を受ける可能性がある。従って、実施形態は本明細書に示された特定の例示に限定されることは意図されない。むしろ、以上の実施形態は、法律問題として利用可能なそれらの同等物を含む、付記の請求項の精神および範囲内にある。
【０２９１】
出願者等はあらゆる開示された実施形態を公衆に献呈することを意図せず、そして、あらゆる開示された修正または変更が請求項の精神内に文字通りには入らないほど、同等物の原則下で、開示された実施形態は請求の範囲の一部であると考えられる。
【外国語明細書】
2014122342000001.pdf